(57)【要約】【課題】正しいパスワードを入力したユーザにＣＰＵ内蔵装置の使用を可能にするため、認証状態に保持されるＣＰＵ内蔵装置において、認証解除忘れを防止すること。【解決手段】パスワードを記憶するパスワード記憶メモリＣ７ｂと、パスワード入力画面１１を表示器ＵＩ３に表示するパスワード入力画面表示手段Ｃ５ａと、入力されたパスワードが正しいか否か判別するパスワード判別手段Ｃ７ａを有する有資格ユーザ認証手段Ｃ７と、認証状態に保持する認証状態保持手段Ｃ９と、所定の認証状態解除条件を記憶する認証状態解除条件記憶手段Ｃ８ｅと、認証状態解除条件が成立したか否かを判別する認証状態解除条件判別手段Ｃ１１と、ＣＰＵ内蔵装置Ｕを使用不可能な状態に保持する非認証状態保持手段Ｃ１３と、認証状態自動解除条件を設定する認証状態自動解除条件設定手段Ｃ８と、を有するＣＰＵ内蔵装置Ｕ。【選択図】  図２
2007172302.tif 000002
【特許請求の範囲】
【請求項１】
表示器および複数の機能を有し且つＣＰＵを内蔵したＣＰＵ内蔵装置であって、次の構成要件（Ａ01）〜（Ａ06）を備えた前記ＣＰＵ内蔵装置、
（Ａ01）前記ＣＰＵ内蔵装置を使用しようとするユーザが前記ＣＰＵ内蔵装置を使用する資格のある有資格ユーザであると認証する有資格ユーザ認証手段、
（Ａ02）前記有資格ユーザ認証手段が前記有資格ユーザであると認証した場合に、前記有資格ユーザが前記ＣＰＵ内蔵装置を使用可能な状態である認証状態に保持する認証状態保持手段、
（Ａ03）所定の認証状態解除条件を記憶する認証状態解除条件記憶手段、
（Ａ04）前記認証状態解除条件が成立したか否かを判別する認証状態解除条件判別手段、
（Ａ05）前記認証状態解除条件が成立した場合に、ユーザが前記ＣＰＵ内蔵装置を使用不可能な状態である非認証状態に保持する非認証状態保持手段、
（Ａ06）前記認証状態を自動的に解除するためのログイン状態自動解除条件を設定する認証状態自動解除条件設定手段。
【請求項２】
次の構成要件（Ａ07）を備えた請求項１記載のＣＰＵ内蔵装置、
（Ａ07）前記ＣＰＵ内蔵装置を使用する資格を有するユーザであることを特定するパスワードを記憶するパスワード記憶メモリと、前記ＣＰＵ内蔵装置を使用しようとするユーザが入力した入力パスワードが前記パスワード記憶メモリに記憶された記憶パスワードと一致している場合に正しいパスワードが入力されたと判別するパスワード判別手段とを有し、前記正しいパスワードが入力された場合に、前記正しいパスワードを入力したユーザが前記ＣＰＵ内蔵装置を使用する資格の有る有資格ユーザであると認証する有資格ユーザ認証手段。
【請求項３】
次の構成要件（Ａ08）を備えた請求項１記載のＣＰＵ内蔵装置、
（Ａ08）前記ＣＰＵ内蔵装置を使用する資格を有するユーザであることを特定するユーザ識別番号を記憶するユーザ識別番号記憶メモリと、前記ユーザ識別番号を記憶されたユーザ識別カードが着脱可能に挿入されるユーザ識別カード挿入口と、前記ＣＰＵ内蔵装置を使用しようとするユーザが挿入したユーザ識別カードから読み出されたユーザ識別番号が前記ユーザ識別番号記憶メモリに記憶されたユーザ識別番号と一致している場合に正しいユーザ識別カードがユーザ識別カード挿入口から挿入されたと判別するユーザ識別カード判別手段とを有し、前記正しい識別カードが挿入された場合に、前記正しいユーザ識別カードを挿入したユーザが前記ＣＰＵ内蔵装置を使用する資格の有る有資格ユーザであると認証する有資格ユーザ認証手段。
【請求項４】
次の構成要件（Ａ09）を備えた請求項１記載のＣＰＵ内蔵装置、
（Ａ09）前記ＣＰＵ内蔵装置が有する複数の機能の中で、前記認証状態での前記有資格ユーザが使用可能な機能を設定する使用可能機能設定手段。
【請求項５】
次の構成要件（Ｂ01）〜（Ｂ03）を備えた認証状態解除方法、
（Ｂ01）前記表示器および複数の機能を有し且つＣＰＵを内蔵したＣＰＵ内蔵装置をユーザが使用可能な状態である認証状態から使用不可能な非認証状態への移行条件である認証状態自動解除条件を、認証作業時に設定する認証状態自動解除条件設定工程、
（Ｂ02）前記認証状態において前記ユーザが前記ＣＰＵ内蔵装置を使用可能な状態に保持する認証状態保持工程中に、前記認証状態自動解除条件が成立したか否かを判別する認証状態解除条件成立判別工程、
（Ｂ03）前記認証状態自動解除条件が成立した場合にＣＰＵ内蔵装置をユーザが使用可能な状態である認証状態から使用不可能な非認証状態に自動的に移行する状態移行工程。
【請求項６】
次の構成要件（Ｂ04）を備えた請求項３記載の認証解除方法、
（Ｂ04）前記ユーザが前記ＣＰＵ内蔵装置を使用不可能な状態である前記非認証状態に保持する非認証状態保持工程。
【請求項７】
次の構成要件（Ｃ01）〜（Ｃ03）を備えた認証方法、
（Ｃ01）前記表示器および複数の機能を有し且つＣＰＵを内蔵したＣＰＵ内蔵装置を使用しようとするユーザにパスワードを入力することを要求するパスワード入力画面を、前記表示器に表示するパスワード入力画面表示工程、
（Ｃ02）前記パスワード入力画面にユーザが入力した入力パスワードが前記パスワード記憶メモリに記憶された記憶パスワードと一致している場合に正しいパスワードが入力されたと判別するパスワード判別工程を含み、前記正しいパスワードが入力されたと判別された場合に、前記正しいパスワードを入力したユーザが前記ＣＰＵ内蔵装置を使用する資格の有る有資格ユーザであると認証する有資格ユーザ認証工程、
（Ｃ03）前記有資格ユーザ認証手段が前記有資格ユーザであると認証した場合に、前記有資格ユーザが前記ＣＰＵ内蔵装置の機能を使用可能な状態である認証状態に保持する認証状態保持工程に入る前に、前記認証状態を解除する認証状態解除条件を設定する認証状態解除条件設定工程。
【請求項８】
次の構成要件（Ｃ04）を備えた請求項７記載の認証方法、
（Ｃ04）前記有資格ユーザ認証手段が前記有資格ユーザであると認証した場合に、前記有資格ユーザが前記ＣＰＵ内蔵装置の機能を使用可能な状態である認証状態に保持する認証状態保持工程に入る前に、前記認証状態での前記有資格ユーザが使用可能な機能を設定する使用可能機能設定工程。
【発明の詳細な説明】
【技術分野】
【０００１】
本発明は、表示器および複数の機能を有し且つＣＰＵを内蔵したＣＰＵ内蔵装置、前記ＣＰＵ内蔵装置を使用可能な認証状態（ログインした状態）から認証解除（ログアウト）する認証解除方法（ログアウト方法）、および前記ＣＰＵ内蔵装置を使用可能な状態とするための認証作業（ログイン作業）を行う認証方法（ログイン方法）に関し、特に、次の構成要件（１）〜（４）を備えた前記ＣＰＵ内蔵装置と、前記ＣＰＵ内蔵装置に対する前記認証解除方法（ログアウト方法）と、前記認証方法（ログイン方法）とに関する。
【０００２】
（１）前記ＣＰＵ内蔵装置を使用する資格を有するユーザのＩＤまたはパスワード等を記憶するパスワード記憶メモリ。
（２）前記ＣＰＵ内蔵装置を使用しようとするユーザに前記パスワードを入力することを要求するパスワード入力画面を前記表示器に表示するパスワード入力画面表示手段。
（３）前記パスワード入力画面にユーザが入力したパスワード（入力パスワード）が前記パスワード記憶メモリに記憶されたパスワード（記憶パスワード）と一致している場合に正しいパスワードが入力されたと判別するパスワード判別手段を有し、前記正しいパスワードが入力された場合に、前記正しいパスワードを入力したユーザが前記ＣＰＵ内蔵装置を使用する資格の有るユーザ（有資格ユーザ）であると認証する有資格ユーザ認証手段。
（４）前記使用可能ユーザ認証手段が前記有資格ユーザであると認証した場合に、前記有資格ユーザが前記ＣＰＵ内蔵装置を使用可能な状態である認証状態（ログイン状態）に保持する認証状態保持手段。
【０００３】
本明細書において、「ＣＰＵ内蔵装置」は、表示器および複数の機能を有し且つＣＰＵを内蔵した装置を意味し、その具体例としては、複写機、ファクシミリ装置、複写機能およびファクシミリ機能等を有する複合機、パソコン、計算機、データベースサーバ等を挙げることができる。
【背景技術】
【０００４】
前記種類のＣＰＵ内蔵装置には、セキュリティー保護や、目的以外の不正使用を防止するため、ＩＤやパスワード入力により認証を行うものがある。前記セキュリティ保護機能等を有するＣＰＵ内蔵装置では、ＩＤやパスワード入力により一度認証されると、認証解除をするまで認証されたユーザ権限の範囲で装置を使用する（ログインする）ことができる。しかし、ユーザが認証解除をせずにその場から離れると、他者が認証されたユーザの権限で装置を不正使用するおそれがある。このため、従来のセキュリティー保護機能等を有する前記ＣＰＵ内蔵装置では、明示的な認証解除操作（認証解除キー入力等）や装置の操作終了条件（オートクリア等）で認証解除をしていた。しかし、このような認証解除方法では、前述のように他者による不正使用（操作）を防止することが困難である。
セキュリティー保護機能等を有する前記種類のＣＰＵ内蔵装置の他者による不正使用を防止するための技術として、下記の従来技術（Ｊ01）が公知である。
【０００５】
（Ｊ01）特許文献１（特開２００２−３４２２８４号公報）記載の技術
前記特許文献１には、ネットワークに接続された複数の計算機のうちのいずれかの計算機にログインし、その計算機のログアウトをし忘れて他の計算機を使用していると、ネットワークの通信部１は、計算機１００にログイン中のユーザが他の計算機に同時にログインしているか否かを判定し、同時にログインしていると判定された場合に、各計算機における最終操作時刻を比較し、その結果、最近操作が行われたのが他の計算機であると判定された場合、最近にログインした計算機のディスプレイ装置３００の画面をロックしたり、他の計算機からのログアウトを促すメッセージを表示したりする技術が記載されている。
【特許文献１】特開２００２−３４２２８４号公報
【発明の開示】
【発明が解決しようとする課題】
【０００６】
（従来技術（Ｊ01）の問題点）
前記従来技術（特許文献１記載の技術）は、ユーザが使用中の装置が接続されているネットワークの通信部がユーザのログイン状態を監視しており、ユーザが使用中の装置に対して、前記ユーザがユーザの必要性に応じたログオフ条件を設定することができないという問題点がある。
【０００７】
本発明は、前述の事情に鑑み、表示器および複数の機能を有し且つＣＰＵを内蔵したＣＰＵ内蔵装置（例えば、複写機、ファクシミリ装置、複写機能およびファクシミリ機能等の有する複合機、パソコン、計算機、データベースサーバ等）において、次の記載内容（Ｏ01），（Ｏ02）を技術的課題とする。
（Ｏ01）ＣＰＵ内蔵装置を使用しようとするユーザが認証を受ける時（ログイン時）に認証解除条件を設定することにより、認証後に認証状態に保持されるＣＰＵ内蔵装置の認証解除忘れを防止すること。
（Ｏ02）認証状態（ログイン状態）のＣＰＵ内蔵装置の使用終了後の認証解除（ログアウト）忘れを未然に防止することにより、他者によるＣＰＵ内蔵装置の無断継続使用を防止すること。
【課題を解決するための手段】
【０００８】
（本発明）
次に、前記課題を解決した本発明を説明するが、本発明の要素には、後述の実施の形態の具体例（実施例）の要素との対応を容易にするため、実施例の要素の符号をカッコで囲んだものを付記する。また、本発明を後述の実施例の符号と対応させて説明する理由は、本発明の理解を容易にするためであり、本発明の範囲を実施例に限定するためではない。
【０００９】
（第１発明）
前記技術的課題を解決するために、第１発明のＣＰＵ内蔵装置は、表示器および複数の機能を有し且つＣＰＵを内蔵したＣＰＵ内蔵装置であって、次の構成要件（Ａ01）〜（Ａ06）を備えたことを特徴とする。
（Ａ01）前記ＣＰＵ内蔵装置（Ｕ）を使用しようとするユーザが前記ＣＰＵ内蔵装置（Ｕ）を使用する資格のある有資格ユーザであると認証する有資格ユーザ認証手段（Ｃ７）、
（Ａ02）前記有資格ユーザ認証手段（Ｃ７）が前記有資格ユーザであると認証した場合に、前記有資格ユーザが前記ＣＰＵ内蔵装置（Ｕ）を使用可能な状態である認証状態に保持する認証状態保持手段（Ｃ９）、
（Ａ03）所定の認証状態解除条件を記憶する認証状態解除条件記憶手段（Ｃ８ｅ）、
（Ａ04）前記認証状態解除条件が成立したか否かを判別する認証状態解除条件判別手段（Ｃ１１）、
（Ａ05）前記認証状態解除条件が成立した場合に、ユーザが前記ＣＰＵ内蔵装置（Ｕ）を使用不可能な状態である非認証状態に保持する非認証状態保持手段（Ｃ１３）、
（Ａ06）前記認証状態を自動的に解除するための認証状態を自動解除条件（すなわち、ログアウト状態移行条件）を設定する認証状態自動解除条件設定手段（Ｃ８ｅ）。
【００１０】
（第１発明の作用）
前記構成要件（Ａ01）〜（Ａ06）を備えた第１発明のＣＰＵ内蔵装置では、有資格ユーザ認証手段（Ｃ７）は、前記ＣＰＵ内蔵装置（Ｕ）を使用しようとするユーザが前記ＣＰＵ内蔵装置（Ｕ）を使用する資格のある有資格ユーザであると認証する。
認証状態保持手段（Ｃ９）は、前記有資格ユーザ認証手段（Ｃ７）が前記有資格ユーザであると認証した場合に、前記有資格ユーザが前記ＣＰＵ内蔵装置（Ｕ）を使用可能な状態である認証状態に保持する。
認証状態解除条件記憶手段（Ｃ８ｅ）は、所定の認証状態解除条件を記憶する。認証状態解除条件判別手段（Ｃ１１）は、前記認証状態解除条件が成立したか否かを判別する。非認証状態保持手段（Ｃ13）は、前記認証状態解除条件が成立した場合に、ユーザが前記ＣＰＵ内蔵装置（Ｕ）を使用不可能な状態である非認証状態に保持する。
認証状態自動解除条件設定手段（Ｃ８ｅ）は、前記認証状態を自動的に解除するための認証状態自動解除条件（すなわち、ログアウト状態移行条件）を設定する。
【００１１】
（第１発明の形態１）
第１発明の形態１のＣＰＵ内蔵装置は、前記第１発明において、次の構成要件（Ａ07）を備えたことを特徴とする。
（Ａ07）前記ＣＰＵ内蔵装置（Ｕ）を使用する資格を有するユーザであることを特定するパスワードを記憶するパスワード記憶メモリ（Ｃ7b）と、前記ＣＰＵ内蔵装置（Ｕ）を使用しようとするユーザが入力した入力パスワードが前記パスワード記憶メモリ（Ｃ7b）に記憶された記憶パスワードと一致している場合に正しいパスワードが入力されたと判別するパスワード判別手段（Ｃ7a）とを有し、前記正しいパスワードが入力された場合に、前記正しいパスワードを入力したユーザが前記ＣＰＵ内蔵装置（Ｕ）を使用する資格の有る有資格ユーザであると認証する前記有資格ユーザ認証手段（Ｃ７）。
【００１２】
（第１発明の形態１の作用）
前記構成要件（Ａ07）を備えた第１発明の形態１のＣＰＵ内蔵装置では、前記有資格ユーザ認証手段（Ｃ７）は、前記ＣＰＵ内蔵装置（Ｕ）を使用する資格を有するユーザであることを特定するパスワードを記憶するパスワード記憶メモリ（Ｃ7b）と、前記ＣＰＵ内蔵装置（Ｕ）を使用しようとするユーザが入力した入力パスワードが前記パスワード記憶メモリ（Ｃ7b）に記憶された記憶パスワードと一致している場合に正しいパスワードが入力されたと判別するパスワード判別手段（Ｃ7a）とを有し、前記正しいパスワードが入力された場合に、前記正しいパスワードを入力したユーザが前記ＣＰＵ内蔵装置（Ｕ）を使用する資格の有る有資格ユーザであると認証する。
【００１３】
（第１発明の形態２）
第１発明の形態２のＣＰＵ内蔵装置は、前記第１発明において、次の構成要件（Ａ08）を備えたことを特徴とする。
（Ａ08）前記ＣＰＵ内蔵装置（Ｕ）を使用する資格を有するユーザであることを特定するユーザ識別番号を記憶するユーザ識別番号記憶メモリと、前記ユーザ識別番号を記憶されたユーザ識別カードが着脱可能に挿入されるユーザ識別カード挿入口と、前記ＣＰＵ内蔵装置（Ｕ）を使用しようとするユーザが挿入したユーザ識別カードから読み出されたユーザ識別番号（読取識別番号）が前記ユーザ識別番号記憶メモリに記憶されたユーザ識別番号（記憶識別番号）と一致している場合に正しいユーザ識別カードがユーザ識別カード挿入口から挿入されたと判別するユーザ識別カード判別手段とを有し、前記正しい識別カードが挿入された場合に、前記正しいユーザ識別カードを挿入したユーザが前記ＣＰＵ内蔵装置を使用する資格の有る有資格ユーザであると認証する前記有資格ユーザ認証手段（Ｃ７）。
【００１４】
（第１発明の形態２の作用）
前記構成要件（Ａ08）を備えた第１発明の形態２のＣＰＵ内蔵装置では、前記有資格ユーザ認証手段（Ｃ７）は、前記ＣＰＵ内蔵装置（Ｕ）を使用する資格を有するユーザであることを特定するユーザ識別番号を記憶するユーザ識別番号記憶メモリと、前記ユーザ識別番号を記憶されたユーザ識別カードが着脱可能に挿入されるユーザ識別カード挿入口と、前記ＣＰＵ内蔵装置（Ｕ）を使用しようとするユーザが挿入したユーザ識別カードから読み出されたユーザ識別番号（読取識別番号）が前記ユーザ識別番号記憶メモリに記憶されたユーザ識別番号（記憶識別番号）と一致している場合に正しいユーザ識別カードがユーザ識別カード挿入口から挿入されたと判別するユーザ識別カード判別手段とを有し、前記正しい識別カードが挿入された場合に、前記正しいユーザ識別カードを挿入したユーザが前記ＣＰＵ内蔵装置を使用する資格の有る有資格ユーザであると認証する。
【００１５】
（第1発明の形態３）
第1発明の形態３のＣＰＵ内蔵装置は、前記第１発明または第1発明の形態1もしくは２において次の構成要件（Ａ09）を備えたことを特徴とする。
（Ａ09）前記ＣＰＵ内蔵装置（Ｕ）が有する複数の機能の中で、前記認証状態（ログイン状態）での前記有資格ユーザが使用可能な機能を設定する使用可能機能設定手段（Ｃ１５）。
【００１６】
（第1発明の形態３の作用）
前記構成要件（Ａ09）を備えた第１発明の形態３のＣＰＵ内蔵装置では、使用可能機能設定手段（Ｃ１５）は、前記ＣＰＵ内蔵装置（Ｕ）が有する複数の機能の中で、前記ログイン状態での前記有資格ユーザが使用可能な機能を設定する。
【００１７】
（第２発明）
第２発明の認証解除方法（ログアウト方法）は、次の構成要件（Ｂ01）〜（Ｂ03）を備えたことを特徴とする。
（Ｂ01）前記表示器（ＵＩ３）および複数の機能を有し且つＣＰＵを内蔵したＣＰＵ内蔵装置（Ｕ）をユーザが使用可能な状態である認証状態から使用不可能な非認証状態への移行条件である認証状態自動解除条件を、認証作業時（ログイン作業時）に設定する認証状態自動解除条件設定工程、
（Ｂ02）前記認証状態において前記ユーザが前記ＣＰＵ内蔵装置（Ｕ）を使用可能な状態に保持する認証状態保持工程中に、前記認証状態自動解除条件が成立したか否かを判別する認証状態解除条件成立判別工程、
（Ｂ03）前記認証状態自動解除条件が成立した場合にＣＰＵ内蔵装置（Ｕ）をユーザが使用可能な状態である認証状態から使用不可能な非認証状態に自動的に移行する状態移行工程。
【００１８】
（第２発明の作用）
前記構成要件（Ｂ01）〜（Ｂ03）を備えた第２発明の認証解除方法（ログアウト方法）では、認証状態自動解除条件設定工程（すなわち、ログイン状態自動解除条件設定工程、またはログアウト状態自動移行条件設定工程）では、表示器（ＵＩ３）および複数の機能を有し且つＣＰＵを内蔵したＣＰＵ内蔵装置（Ｕ）をユーザが使用可能な状態である認証状態から使用不可能な非認証状態への移行条件である認証状態自動解除条件（ログイン状態自動解除条件、ログアウト状態自動移行条件）を、認証作業時（ログイン作業時）に設定する。
認証状態解除条件成立判別工程は、前記認証状態において前記ユーザが前記ＣＰＵ内蔵装置（Ｕ）を使用可能な状態に保持する認証状態保持工程中に、前記認証状態自動解除条件が成立したか否かを判別する。
状態移行工程では、前記認証状態自動解除条件（ログイン状態自動解除条件）が成立した場合にＣＰＵ内蔵装置（Ｕ）をユーザが使用可能な状態である認証状態から使用不可能な非認証状態に自動的に移行する。
【００１９】
（第２発明の形態１）
第２発明の形態１の認証解除方法（ログアウト方法）は、前記第２発明において次の構成要件（Ｂ04）を備えたことを特徴とする。
（Ｂ04）前記ユーザが前記ＣＰＵ内蔵装置（Ｕ）を使用不可能な状態である前記非認証状態（ログアウト状態）に保持する非認証状態保持工程（ログアウト状態保持工程）。
【００２０】
（第２発明の形態１の作用）
前記構成要件（Ｂ04）を備えた第２発明の形態１のログアウト方法では、非認証状態保持工程（ログアウト状態保持工程）において、前記ユーザが前記ＣＰＵ内蔵装置（Ｕ）を使用不可能な状態である前記非認証状態（ログアウト状態）に保持する。
【００２１】
（第３発明）
第３発明の認証方法（ログイン方法）は、次の構成要件（Ｃ01）〜（Ｃ03）を備えたことを特徴とする。
（Ｃ01）前記表示器（ＵＩ３）および複数の機能を有し且つＣＰＵを内蔵したＣＰＵ内蔵装置（Ｕ）を使用しようとするユーザにパスワードを入力することを要求するパスワード入力画面（１１）を、前記表示器（ＵＩ３）に表示するパスワード入力画面表示工程、
（Ｃ02）前記パスワード入力画面（１１）にユーザが入力した入力パスワードが前記パスワード記憶メモリ（Ｃ７b）に記憶された記憶パスワードと一致している場合に正しいパスワードが入力されたと判別するパスワード判別工程を含み、前記正しいパスワードが入力されたと判別された場合に、前記正しいパスワードを入力したユーザが前記ＣＰＵ内蔵装置（Ｕ）を使用する資格の有る有資格ユーザであると認証する有資格ユーザ認証工程、
（Ｃ03）前記正しいパスワードを入力したユーザを前記有資格ユーザであると認証した場合に、前記有資格ユーザが前記ＣＰＵ内蔵装置（Ｕ）の機能を使用可能な状態である認証状態に保持する認証状態保持工程に入る前に、前記認証状態を解除するための認証状態解除条件を設定する認証状態解除条件設定工程。
【００２２】
（第3発明の作用）
前記構成要件（Ｃ01）〜（Ｃ03）を備えた第3発明の認証方法（ログイン方法）では、パスワード入力画面表示工程において、前記表示器（ＵＩ３）および複数の機能を有し且つＣＰＵを内蔵したＣＰＵ内蔵装置（Ｕ）を使用しようとするユーザにパスワードを入力することを要求するパスワード入力画面（１１）を、前記表示器（ＵＩ３）に表示する。
有資格ユーザ認証工程のパスワード判別工程では、前記パスワード入力画面（１１）にユーザが入力した入力パスワードが前記パスワード記憶メモリ（Ｃ７b）に記憶された記憶パスワードと一致している場合に正しいパスワードが入力されたと判別する。前記有資格ユーザ認証工程では、前記正しいパスワードが入力されたと判別された場合に、前記正しいパスワードを入力したユーザが前記ＣＰＵ内蔵装置（Ｕ）を使用する資格の有る有資格ユーザであると認証する。
前記正しいパスワードを入力したユーザを前記有資格ユーザであると認証した場合に、認証状態解除条件設定工程では、前記有資格ユーザが前記ＣＰＵ内蔵装置（Ｕ）の機能を使用可能な状態である認証状態に保持する認証状態保持工程に入る前に、前記認証状態を解除するための認証状態解除条件を設定する。
【００２３】
（第３発明の形態１）
第３発明の形態１の認証方法（ログイン方法）は、前記第３発明において次の構成要件（Ｃ04）を備えたことを特徴とする。
（Ｃ04）前記有資格ユーザ認証手段が前記有資格ユーザであると認証した場合に、前記有資格ユーザが前記ＣＰＵ内蔵装置（Ｕ）の機能を使用可能な状態である認証状態に保持する認証状態保持工程に入る前に、前記認証状態での前記有資格ユーザが使用可能な機能を設定する使用可能機能設定工程。
【００２４】
（第３発明の形態１の作用）
前記構成要件（Ｃ04）を備えた第3発明の形態2の認証方法（ログイン方法）では、前記有資格ユーザが前記ＣＰＵ内蔵装置（Ｕ）の機能を使用可能な状態である認証状態に保持する認証状態保持工程に入る前に、使用可能機能設定工程において、前記認証状態での前記有資格ユーザが使用可能な機能を設定する。
【発明の効果】
【００２５】
前述の本発明は、表示器および複数の機能を有し且つＣＰＵを内蔵したＣＰＵ内蔵装置（例えば、複写機、ファクシミリ装置、複写機能およびファクシミリ機能等の有する複合機、パソコン、計算機、データベースサーバ等）において、次の効果（Ｅ01），（Ｅ02）を奏する。
（Ｅ01）ＣＰＵ内蔵装置を使用しようとするユーザが認証を受ける時（ログイン時）に認証解除条件を設定することにより、認証後に認証状態に保持されるＣＰＵ内蔵装置の認証解除忘れを防止することができる。
（Ｅ02）認証状態（ログイン状態）のＣＰＵ内蔵装置の使用終了後の認証解除（ログアウト）忘れを未然に防止することにより、他者によるＣＰＵ内蔵装置の無断継続使用を防止することができる。
【発明を実施するための最良の形態】
【００２６】
次に図面を参照しながら、本発明の実施の形態の具体例（実施例）を説明するが、本発明は以下の実施例に限定されるものではない。
【実施例１】
【００２７】
図１は実施例１のＣＰＵ内蔵装置としての画像形成装置の説明図である。
図１において、ＣＰＵ内蔵装置としての画像形成装置Ｕはプリンタ機能、複写機能、ＦＡＸ機能を有する複合機により構成されている。前記画像形成装置Ｕは、画像記録が行われる画像記録装置（ＩＯＴ（イメージアウトプットターミナル）、プリンタ部）Ｕ１と、原稿画像を読取る画像読取装置（ＩＩＴ（イメージインプットターミナル）、スキャナ部）Ｕ２と、前記スキャナ部Ｕ２の画像読取り位置に原稿を自動的に搬送する自動原稿搬送装置（ＡＤＦ（オートドキュメントフィーダ））Ｕ３と、を有する。前記画像記録部Ｕ１には、給紙用のシート（印刷用紙）が収容される複数の給紙トレイＴＲと、画像が記録されたシートが排紙される排紙トレイＴＲｈとが設けられている。前記画像読取装置Ｕ２は、ユーザがコピースタート等の作動指令信号を入力操作するＵＩ（ユーザインタフェース）を有している。前記実施例１の画像形成装置Ｕは、記録された画像の画像記録面が下面となる状態（フェイスダウン状態）で前記排紙トレイＴＲｈに排紙される。
前記自動原稿搬送装置Ｕ３は、原稿が重ねて配置される原稿給紙トレイＴＧ１と、前記原稿給紙トレイから取出され、前記画像読取装置Ｕ２の原稿読取位置を通過して排出される原稿排出トレイＴＧ２とを有している。
【００２８】
（画像形成装置Ｕの機能）
図２は実施例１の画像形成装置の機能をブロック（機能ブロック）で示したブロック線図である。
図２において、画像形成装置ＵのコントローラＣは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、ハードディスクやＲＯＭ等に記憶されたプログラムに応じた処理を行うＣＰＵ（中央演算処理装置）、ならびにクロック発振器等を有している。
前記構成の画像形成装置Ｕは、前記ハードディスクやＲＯＭ等に記憶されたプログラムを実行することにより種々の機能を実現することができる。
【００２９】
前記画像形成装置ＵのコントローラＣには、信号出力要素としての前記ＵＩ（ユーザインタフェース）が接続されている。前記ＵＩは、コピースタートキーＵＩ１、テンキーＵＩ２、表示器ＵＩ３、タッチパネル（画像選択検出部材）ＵＩ４、認証解除キーＵＩ５およびメニューキーＵＩ６等を有している。また、前記コントローラＣは、画像記録装置Ｕ１（プリンタ部）、画像読取装置Ｕ２（スキャナ部）および自動原稿搬送装置Ｕ３等の制御信号を出力する。なお、ユーザの入力を検出する前記タッチパネルＵＩ４は、ユーザの入力に応じて所定の画像が表示される表示器ＵＩ３に重ねて配置されている。
前記コントローラＣは、次に説明する各機能実現手段（プログラムモジュール）を有している。
【００３０】
（画像形成装置ＵのコントローラＣの機能）
Ｃ１：自動原稿搬送装置制御手段
自動原稿搬送装置制御手段Ｃ１は、コピースタートキーＵＩ１の入力に応じて、自動原稿搬送装置Ｕ３の動作を制御して、自動原稿搬送装置Ｕ３にセットされた原稿を画像読取装置Ｕ２の原稿読取り位置に搬送する。
Ｃ２：画像読取装置制御手段
画像読取装置制御手段Ｃ２は、コピースタートキーＵＩ１の入力に応じて、画像読取装置Ｕ２の動作を制御して、プラテンガラス上の原稿または自動原稿搬送装置Ｕ３により搬送された原稿の画像を読取る。
Ｃ３：画像記録装置制御手段
画像記録装置制御手段Ｃ３は、公衆回線を介して受信したイメージデータや前記画像読取装置Ｕ２で読取った原稿画像に応じて記録用紙に画像を記録し、排紙トレイＴＲｈに排出する。
Ｃ４：イメージデータ送受信手段
イメージデータ送受信手段Ｃ４は、公衆回線を介して他の画像形成装置との間でイメージデータを送受信する。
【００３１】
Ｃ５：画面表示手段（図２参照）
画面表示手段Ｃ５は、パスワード入力画面表示手段Ｃ５ａと、認証エラー画面表示手段Ｃ５ｂと、認証状態解除条件設定画面表示手段Ｃ５ｃと、回数条件設定画面表示手段Ｃ５ｄと、時間条件設定画面表示手段Ｃ５ｅと、認証状態解除操作設定画面表示手段Ｃ５ｆと、認証状態解除用マシン状態設定画面表示手段Ｃ５ｇと、認証状態解除条件一覧画面表示手段Ｃ５ｈと、メニュー画面表示手段Ｃ５ｉと、を有し、ユーザの入力や通信回線を介して受信した情報（イメージデータ等）に応じた画面（画像）を前記表示器ＵＩ３に表示する。なお、前述したように表示器ＵＩ３の画像表示面には、タッチパネルＵＩ４が重ねて配置されている。
【００３２】
図３は実施例１のユーザインタフェースの表示器に表示される画面の説明図であり、図３Ａはパスワード入力画面の説明図、図３Ｂは認証エラー画面の説明図である。
図４は実施例１のユーザインタフェースの表示器に表示される画面の説明図であり、図４Ａは認証状態解除条件設定画面の説明図、図４Ｂは回数条件設定画面の説明図である。
図５は実施例１のユーザインタフェースの表示器に表示される画面の説明図であり、図５Ａは時間条件設定画面の説明図、図５Ｂは認証状態解除操作設定画面の説明図である。
図６は実施例１のユーザインタフェースの表示器に表示される画面の説明図であり、図６Ａは認証解除用マシン状態設定画面の説明図、図６Ｂは認証状態解除条件一覧画面の説明図、図６Ｃはメニュー画面の説明図である。
【００３３】
Ｃ５ａ：パスワード入力画面表示手段
パスワード入力画面表示手段Ｃ５ａは、認証用（ログイン用）のパスワードを入力するためのパスワード入力画面１１（図３Ａ参照）を前記表示器ＵＩ３に表示する。前記図３Ａにおいて、前記パスワード入力画面１１は、パスワードを入力するための複数の入力要素を有する入力値アイコン１１ａと、前記入力値アイコン１１ａの入力要素が選択された場合に図形または記号等（例えば「△」）が表示されるパスワード表示欄１１ｂと、ユーザがパスワード入力後にログインする（認証を受ける）ためのログイン用アイコン（認証用アイコン）１１ｃと、前記パスワード表示欄１１ｂに表示された情報を消去（クリア）するクリア用アイコン１１ｄと、を有している。
Ｃ５ｂ：認証エラー画面表示手段
認証エラー画面表示手段Ｃ５ｂは、入力されたパスワードが後述のパスワード記憶メモリＣ７ｂに記憶されたパスワードと一致しない場合に認証不可であることをユーザ（パスワード入力者）に告知する認証エラー画面１２（図３Ｂ参照）を表示する。
【００３４】
Ｃ５ｃ：認証状態解除条件設定画面表示手段
認証状態解除条件設定画面表示手段Ｃ５ｃは、認証状態を解除する条件を設定するための認証解状態解除条件設定画面１３（図４Ａ参照）を表示する。図４Ａにおいて、前記認証状態解除条件設定画面１３は、認証状態を自動で解除するために回数条件設定（認証状態で使用可能なジョブの回数設定）を選択する回数設定用アイコン１３ａと、認証状態を自動解除するために時間条件設定（認証状態（ログイン状態）で使用可能な時間の設定）を選択する時間設定用アイコン１３ｂと、認証状態を解除する条件を認証状態解除操作を行った場合のみに設定する認証状態解除操作設定用アイコン１３ｃと、認証状態を自動解除する条件として認証状態解除用マシン状態（省エネモード状態）を設定する認証状態解除用マシン状態設定用アイコン１３ｄと、ユーザが設定した認証解除条件を確認するための確認アイコン１３ｅと、を有している。
【００３５】
Ｃ５ｄ：回数条件設定画面表示手段
回数条件設定画面表示手段Ｃ５ｄは、認証状態（ログイン状態）を自動解除するために使用する機能（コピー機能、ＦＡＸ機能、電子メール機能、文書読込み機能、文書取出し機能）の使用可能回数を設定する回数条件設定画面１４（図４Ｂ参照）を前記表示器ＵＩ３（図２参照）に表示する。図４Ｂにおいて、前記回数条件設定画面１４は、認証状態解除条件として使用回数を設定に含まないようにするラジオボタン１４ａと、認証状態で継続して機能を使用する回数を１回に設定するラジオボタン１４ｂと、認証状態で使用する機能使用可能回数を５回に設定するラジオボタン１４ｃと、ユーザが認証状態で使用する機能使用可能回数ｎ2（ｎ２はユーザの入力値）を設定するためのラジオボタン１４ｄと、選択されたラジオボタン（１４ａ〜１４ｄのいづれか）の入力内容を設定するための設定アイコン１４ｅと、を有している。
なお、前記ラジオボタン（１４ａ〜１４ｄ）は、操作画面上に現れる小さな円状のボタンであり、前記ボタン内に小径の丸を表示することにより「はい」の意思を表示する。また、複数の選択肢（１４ａ〜１４ｄ）から１つだけを選択するのに使用される。
【００３６】
Ｃ５ｅ：時間条件設定画面表示手段
時間条件設定画面表示手段Ｃ５ｅは、認証状態（ログイン状態）を自動解除するまでの使用時間（認証状態継続時間）を設定する時間条件設定画面１６（図５Ａ参照）を前記表示器ＵＩ３（図２参照）に表示する。前記時間条件設定画面１６は、認証状態解除条件として使用時間が含まれないようにするためのラジオボタン１６ａと、認証状態で継続して機能を使用する時間を１０分に設定するラジオボタン１６ｂと、認証状態で継続して機能を使用する時間ｔ２をユーザが設定するためのラジオボタン１６ｃと、認証状態を解除する時刻「ｔ３a」時「ｔ３b」分をユーザが設定するためのラジオボタン１６ｄと、選択されたいラジオボタン（１６ａ〜１６ｄのいづれか）の入力内容を設定するための設定アイコン１６ｅと、を有している。
ユーザが前記ラジオボタン１６ｃを選択した状態では「ｔ２」分を入力可能となり、前記ラジオボタン１６ｄを選択した状態では時刻（「ｔ３a」時「ｔ３b」分）を入力可能となる。
【００３７】
Ｃ５ｆ：認証状態解除操作設定画面表示手段
認証状態解除操作設定画面表示手段Ｃ５ｆは、認証状態を解除する条件として認証状態の解除操作が行われたときのみに設定する認証状態解除操作設定画面１７（図５Ｂ参照）を前記表示器ＵＩ３に表示する。前記認証状態解除操作設定画面１７は、明示的な認証解除操作（認証解除キーＵＩ５の入力）をするまで認証を継続する場合に選択するチェックボックス１７ａと、前記チェックボックス１７ａの情報を設定するための設定アイコン１７ｂと、を有する。なお、前記チェックボックス１７ａが設定された場合、図４Ａに示す前記回数条件設定（図４Ａの１３a参照）、時間条件設定（図４Ａの１３b参照）および認証状態解除用マシン状態設定（認証状態解除用マシン状態設定画面表示手段Ｃ５ｇ（図２参照）により表示される後述の図６Ａの画面参照）（図４Ａの１３ｄ参照）が無効になる。したがって、前記チェックボックス１７ａ（図５Ｂ参照）が設定された状態では、従来の画像形成装置Ｕの認証解除方法（明示的な認証解除操作、すなわち認証解除キーＵＩ５の入力）のみにより、認証状態を解除することができる。
Ｃ５ｇ：認証状態解除用マシン状態設定画面表示手段
認証状態解除用マシン状態設定画面表示手段Ｃ５ｇ（図２参照）は、マシン状態により認証状態を自動解除するか否かの設定をする認証状態解除用マシン状態設定画面１８（図６Ａ参照）を前記表示ＵＩ３に表示する。前記認証状態解除用マシン状態設定画面１８は、前記画像形成装置Ｕを１５分放置したときに移行する省エネモードが解除された時点で認証状態を自動解除するためのチェックボックス１８ａと、前記チェックボックス１８ａの情報を設定するための設定アイコン１８ｂと、を有している。
なお、前記認証状態解除用マシン状態設定画面表示手段Ｃ５ｇは、前記画像形成装置Ｕを１５分放置したときに移行する省エネモードが起動した時点で、前記認証状態を自動解除するように設定することも可能である。
【００３８】
Ｃ５ｈ：認証状態解除条件一覧画面表示手段
認証状態解除条件一覧画面表示手段Ｃ５ｈは、設定された認証状態解除条件（ログイン状態解除条件、すなわちログアウト状態移行条件）を一覧表示するための認証状態解除条件一覧画面１９（図６Ｂ参照）を前記表示器ＵＩ３に表示する。前記認証状態解除条件一覧画面１９は、設定された認証状態解除条件（すなわち、前記使用可能設定回数、使用可能設定時間、認証状態解除操作設定の有無、および認証状態解除用マシン状態設定の有無）が表示される認証状態解除条件一覧表示欄１９ａと、前記認証状態解除条件一覧表示欄１９ａに表示された認証状態解除条件を変更するための設定変更アイコン１９ｂと、前記認証解除条件一覧表示欄１９ａに表示された認証状態解除条件の確認を終了する確認終了アイコン１９ｃと、有する。
Ｃ５ｉ：メニュー画面表示手段
メニュー画面表示手段Ｃ５ｉは、画像形成装置Ｕの各機能（コピー機能、ＦＡＸ機能、電子メール機能、文書読込み機能、文書取出し機能）を選択するためのメニュー画面２１（図６Ｃ参照）を前記表示器ＵＩ３に表示する。図６Ｃにおいて、前記メニュー画面２１は、プラテンガラス上の原稿または自動原稿搬送装置Ｕ３により搬送された原稿の画像を複写する機能を選択するコピー機能選択用アイコン２１ａと、公衆回線を介して他の画像形成装置にイメージデータを送信する機能を選択するＦＡＸ機能選択用アイコン２１ｂと、公衆回線を介して電子メールを送信する機能を選択する電子メール機能選択用アイコン２１ｃと、前記プラテンガラス上の原稿または自動原稿搬送装置Ｕ３により搬送された原稿の画像を読込む機能を選択する文書読込み機能選択用アイコン２１ｄと、前記画像形成装置Ｕに記憶された情報（文書、画像等）をパソコン等に取出す（送信する）機能を選択するための文書取出し機能選択用アイコン２１ｅと、を有している。
【００３９】
Ｃ６：パスワード入力手段
パスワード入力手段Ｃ６は、入力値一時記憶メモリＣ６ａを有している。前記入力値一時記憶メモリＣ６ａは、前記パスワード入力画面１２（図３Ａ参照）において、前記タッチパネルＵＩ４の検出信号に応じて選択（入力）された入力値（０〜９，＊，♯）を選択された順に一時記憶する。
Ｃ７：有資格ユーザ認証手段
有資格ユーザ認証手段Ｃ７は、パスワード判別手段Ｃ７ａとパスワード記憶メモリＣ７ｂとを有している。前記パスワード判別手段Ｃ７ａは、前記入力値一時記憶メモリＣ６ａに一時記憶された入力値（入力パスワード）が前記パスワード記憶メモリＣ７ｂに記憶されたパスワードと同一か否かを判別する。
Ｃ８：認証状態自動解除条件設定手段
認証状態自動解除条件設定手段Ｃ８は、回数条件設定手段Ｃ８ａと、時間条件設定手段Ｃ８ｂと、認証状態解除操作設定手段Ｃ８ｃと、認証状態解除用マシン状態設定手段Ｃ８ｄと、認証状態解除条件記憶手段Ｃ８ｅと、を有している。
【００４０】
Ｃ８ａ：回数条件設定手段
回数条件設定手段Ｃ８ａは、設定回数一時記憶メモリＣ８ａ１と、予設定回数記憶メモリＣ８ａ２と、回数条件設定状態判別フラグＦＬ１と、を有している。前記回数条件設定手段Ｃ８ａは、認証状態を自動解除するための条件として前記画像形成装置Ｕの機能使用可能回数を設定する。
Ｃ８ａ１：設定回数一時記憶メモリ
設定回数一時記憶メモリＣ８ａ１は、前記回数条件設定画面１４（図４Ｂ参照）において設定された機能（コピー機能、ＦＡＸ機能、電子メール機能、文書読込み機能、文書取出し機能）の使用可能回数ｎａ（１，５，ｎ２）を一時記憶する。
Ｃ８ａ２：予設定回数記憶メモリ
予設定回数記憶メモリＣ８ａ２は、あらかじめ設定された０よりも大きい予設定値ｎ１を記憶する。なお、実施例１の前記予設定値ｎ１には、１が設定されている。
ＦＬ１：回数条件設定状態判別フラグ
回数条件設定状態判別フラグＦＬ１は、認証状態解除条件に前記画像形成装置Ｕの機能使用可能回数が含まれているか否かを判別するためのフラグである。前記回数条件設定状態判別フラグＦＬ１＝「０」では、認証状態解除条件として機能使用可能回数が設定されていないことを意味する。前記回数条件設定状態判別フラグＦＬ１＝「１」では、認証状態解除条件として機能使用可能回数が設定されていることを意味する。
【００４１】
Ｃ８ｂ：時間条件設定手段
時間条件設定手段Ｃ８ｂは、設定時間一時記憶メモリＣ８ｂ１と、予設定時間記憶メモリＣ８ｂ２と、時間条件設定状態判別フラグＦＬ２と、を有している。前記時間条件設定手段Ｃ８ｂは、認証状態を自動解除するための条件として前記画像形成装置Ｕの機能使用可能時間を設定する。
Ｃ８ｂ１：設定時間一時記憶メモリ
設定時間一時記憶メモリＣ８ｂ１は、前記時間条件設定画面１６（図５Ａ参照）において設定された機能（コピー機能、ＦＡＸ機能、電子メール機能、文書読込み機能、文書取出し機能）の使用可能時間ｔａ（１０，ｔ２，ｔ３ａ，ｔ３ｂ）を一時記憶する。
Ｃ８ｂ２：予設定時間記憶メモリ
予設定時間記憶メモリＣ８ｂ２は、あらかじめ設定された０よりも大きい予設定値ｔ１を記憶する。なお、実施例１の前記予設定値ｔ１には、１が設定されている。
ＦＬ２：時間条件設定状態判別フラグ
時間条件設定状態判別フラグＦＬ２は、認証状態解除条件として前記画像形成装置Ｕの機能使用可能時間が設定されているか否かを判別するためのフラグである。前記時間条件設定状態判別フラグＦＬ２＝「０」では、認証状態解除条件として機能使用可能時間が設定されていないことを意味する。前記時間条件設定状態判別フラグＦＬ２＝「１」では、認証状態解除条件として機能使用可能時間が設定されていることを意味する。
【００４２】
Ｃ８ｃ：認証状態解除操作設定手段
認証状態解除操作設定手段Ｃ８ｃは、前記認証状態解除操作設定画面１７（図５Ｂ参照）において、認証状態を解除する条件として認証状態解除操作（すなわち、認証解除キーＵＩ５の入力）が行われたときのみに設定する（すなわち、認証状態解除操作が行われたときのみ認証状態（ログイン状態）を解除する）。なお、前記認証状態解除操作設定手段Ｃ８ｃが設定された状態では、前記回数条件設定、時間条件設定および認証状態解除用マシン状態設定が無効になる。
Ｃ８ｄ：認証状態解除用マシン状態設定手段
認証状態解除用マシン状態設定手段Ｃ８ｄは、認証状態解除用マシン状態設定判別フラグＦＬ３を有している。前記認証状態解除用マシン状態設定手段Ｃ８ｄは、前記画像形成装置Ｕを１５分放置したときに移行する省エネモードが解除された時点で認証状態を自動解除する場合に設定する。
ＦＬ３：認証状態解除用マシン状態設定判別フラグ
認証状態解除用マシン状態設定判別フラグＦＬ３は、認証解除条件として認証状態解除用マシン状態（省エネモードが解除された時）が設定されているか否かを判別するためのフラグである。前記認証状態解除用マシン状態設定判別フラグＦＬ３＝「０」では、認証解除条件として認証状態解除用マシン状態（省エネモードが解除された時）が設定されていないことを意味する。前記マシン状態設定時判別フラグＦＬ３＝「１」では、認証解除条件として認証状態解除用マシン状態（省エネモードが解除された時）が設定されていることを意味する。
【００４３】
Ｃ８ｅ：認証状態解除条件記憶手段
認証状態解除条件記憶手段Ｃ８ｅは、認証状態解除条件一時記憶メモリＣ８ｅ１を有している。
Ｃ８ｅ１：認証状態解除条件一時記憶メモリ
認証状態解除条件一時記憶メモリＣ８ｅ１は、前記回数条件設定手段Ｃ８ａ、時間条件設定手段Ｃ８ｂ、認証状態解除操作設定手段Ｃ８ｃおよび認証解除用マシン状態設定手段Ｃ８ｄで設定された認証状態解除条件（前記認証状態解除条件一覧画面１９（図６参照）の認証状態解除条件一覧表示欄１９ａに表示される認証状態解除条件）を記憶する。
【００４４】
Ｃ９：認証状態保持手段（ログイン状態保持手段）
認証状態保持手段Ｃ９は、前記認証状態解除条件一時記憶メモリＣ８ｅ１に記憶された認証状態解除条件が満たされるまで、前記画像形成装置Ｕを認証状態（ログイン状態、すなわち画像形成装置を使用可能な状態）に保持する。
Ｃ１０：認証状態解除条件有無判別手段
認証状態解除条件有無判別手段Ｃ１０は、次の処理（１）〜（３）を行う。
（１）前記認証状態解除条件一時記憶メモリＣ８ｅ１に記憶された認証解除条件として機能使用可能回数が設定（ＦＬ１＝「１」）されているか否かを判別する。
（２）前記認証状態解除条件一時記憶メモリＣ８ｅ１に記憶された認証解除条件として機能使用可能時間が設定（ＦＬ２＝「１」）されているか否かを判別する。
（３）前記認証状態解除条件一時記憶メモリＣ８ｅ１に記憶された認証解除条件として認証状態解除用マシン状態（省エネモードが解除された時）が設定（ＦＬ３＝「１」）されているか否かを判別する。
【００４５】
Ｃ１１：認証状態解除条件判別手段
認証状態解除条件判別手段Ｃ１１は、前記認証状態解除条件有無判別手段Ｃ１０の各処理（１）〜（３）に基づいて、認証状態解除条件が成立したか否かを判別する。
すなわち、前記回数条件設定状態判別フラグＦＬ１＝「１」の場合には、認証状態（ログイン状態）になってから前記認証状態解除条件一時記憶メモリＣ８ｅ１に記憶された機能使用可能回数だけ使用したか否かを判別する。
前記時間条件設定状態判別フラグＦＬ２＝「１」の場合には、認証状態（ログイン状態）に移行して画像形成装置Ｕの機能が使用可能になってから前記認証状態解除条件一時記憶メモリＣ８ｅ１に記憶された機能使用可能時間が経過した否かを判別する。
前記認証状態解除用マシン状態設定判別フラグＦＬ３＝「１」の場合には、認証状態（ログイン状態）になってから前記認証状態解除条件一時記憶メモリＣ８ｅ１に記憶された認証状態解除用マシン状態（省エネモードが解除された時）になったか否かを判別する。
【００４６】
Ｃ１２：解除条件成立時認証状態解除手段
解除条件成立時認証状態解除手段Ｃ１２は、前記認証状態解除条件判別手段Ｃ１１の判別結果に基づいて認証状態を解除する。
すなわち、前記回数条件設定状態判別フラグＦＬ１＝「１」の状態において、前記認証状態解除条件一時記憶メモリＣ８ｅ１に記憶された機能使用可能回数だけ使用した時点で認証状態（ログイン状態）を解除（非認証状態またはログアウト状態に移行）する。
前記時間条件設定状態判別フラグＦＬ２＝「１」の状態において、前記認証状態解除条件一時記憶メモリＣ８ｅ１に記憶された機能使用可能時間が経過した時点で認証状態を解除する。
前記認証状態解除用マシン状態設定判別フラグＦＬ３＝「１」の状態において、前記認証状態解除条件一時記憶メモリＣ８ｅ１に記憶された認証状態解除用マシン状態（省エネモードが解除された時）になった時点で認証状態を解除する。
【００４７】
Ｃ１３：非認証状態保持手段
非認証状態保持手段Ｃ１３は、前記解除条件成立時認証解除手段Ｃ１２により前記画像形成装置Ｕが認証状態を解除された時から次の認証状態に移行するまで、または前記画像形成装置Ｕの電源オン時から認証状態に移行するまで、前記画像形成装置Ｕを非認証状態（ログイン状態）に保持する。前記非認証状態（ログオフ状態）とは、前記画像形成装置Ｕの機能（コピー機能、ＦＡＸ機能、電子メール機能、文書読込み機能、文書取出し機能）が使用不可能な状態であることを意味する。
Ｃ１４：ジョブ回数カウント手段
ジョブ回数カウント手段Ｃ１４は、画像形成装置Ｕの機能（コピー機能、ＦＡＸ機能、電子メール機能、文書読込み機能、文書取出し機能）を使用した回数ｎをカウントする。
ＴＭ１：計測タイマ
計測タイマＴＭ１は、認証状態解除用の時間条件が満たされたか否かを判別するための時間（使用可能設定時間）ｔを計測する。
【００４８】
（実施例１のフローチャートの説明）
（画像形成装置のメインフローチャートの説明）
図７は実施例１の画像形成装置のメインフローチャートである。
図７のフローチャートの各ＳＴ（ステップ）の処理は、前記画像形成装置ＵのコントローラＣのＲＯＭやハードディスク等に記憶されたプログラムに従って行われる。また、この処理は画像形成装置Ｕの他の各種処理と並行してマルチタスクで実行される。
図７に示す画像形成装置のメインフローチャートは画像形成装置Ｕの電源オンにより開始される。
【００４９】
図７のＳＴ（ステップ）１において、認証処理を実行して、ＳＴ２に移る。なお、前記ＳＴ１の認証処理は、後述の図８により説明する。
ＳＴ２において、認証状態解除条件設定処理を実行して、ＳＴ３に移る。なお、前記認ＳＴ２の証状態解除条件設定処理は、後述の図９により説明する。
ＳＴ３において、時間条件設定状態判別フラグＦＬ２＝「０」か否かを判別する。前記時間条件設定状態判別フラグＦＬ２＝「０」の場合、認証状態解除条件として機能使用時間が設定されていないこと（認証後の機能使用可能時間が無制限であること）を意味する。ノー（Ｎ）の場合はＳＴ４に移り、イエス（Ｙ）の場合はＳＴ５に移る。
ＳＴ４において、計測タイマＴＭ１に機能使用可能時間ｔａをセットして、ＳＴ５に移る。
ＳＴ５において、メニュー画面２１（図６Ｃ参照）を表示器ＵＩ３に表示する。
ＳＴ６において、計測タイマＴＭ１がタイムアップしたか否か（認証後の画像形成装置の使用時間ｔがｔ≧ｔａとなったか否か）を判別する。なお、前記計測タイマＴＭ１にセットされる機能使用可能時間ｔａは、後述の図１１に示す時間条件設定処理で設定された値である。ノー（Ｎ）の場合はＳＴ７に移り、イエス（Ｙ）の場合はＳＴ２２に移る。
ＳＴ７において、前記メニュー画面２１のコピー機能選択用アイコン２１ａが選択されたか否かを判別する。ノー（Ｎ）の場合はＳＴ９に移り、イエス（Ｙ）の場合はＳＴ８に移る。
【００５０】
ＳＴ８において、コピー機能選択時の処理を実行して、ＳＴ２２に移る。なお、前記ＳＴ８のコピー機能選択時の処理は、後述の図１４により説明する。
ＳＴ９において、前記メニュー画面２１のＦＡＸ機能選択用アイコン２１ｂが選択されたか否かを判別する。ノー（Ｎ）の場合はＳＴ１１に移り、イエス（Ｙ）の場合はＳＴ１０に移る。
ＳＴ１０において、ＦＡＸ機能選択時の処理を実行して、ＳＴ２２に移る。なお、前記ＳＴ１０のＦＡＸ機能選択時の処理は、後述の図１４より説明する。
ＳＴ１１において、前記メニュー画面２１の電子メール機能選択用アイコン２１ｃが選択されたか否かを判別する。ノー（Ｎ）の場合はＳＴ１３に移り、イエス（Ｙ）の場合はＳＴ１２に移る。
ＳＴ１２において、電子メール機能選択時の処理を実行して、ＳＴ２２に移る。なお、前記ＳＴ１２の電子メール機能選択時の処理は、後述の図１４により説明する。
【００５１】
ＳＴ１３において、前記メニュー画面２１の文書読込み機能選択用アイコン２１ｄが選択されたか否かを判別する。ノー（Ｎ）の場合はＳＴ１５に移り、イエス（Ｙ）の場合はＳＴ１４に移る。
ＳＴ１４において、文書読込み機能選択時の処理を実行して、ＳＴ２２に移る。なお、前記ＳＴ１４の文書読込み機能選択時の処理は、後述の図１４により説明する。
ＳＴ１５において、前記メニュー画面２１の文書取出し機能選択用アイコン２１ｅが選択されたか否かを判別する。ノー（Ｎ）の場合はＳＴ１７に移り、イエス（Ｙ）の場合はＳＴ１６に移る。
ＳＴ１６において、文書取出し機能選択時の処理を実行して、ＳＴ２２に移る。なお、前記ＳＴ１６の文書読込み機能選択時の処理は、後述の図１４により説明する。
【００５２】
ＳＴ１７において、認証解除キーＵＩ５が入力されたか否かを判別する。ノー（Ｎ）の場合はＳＴ１８に移り、イエス（Ｙ）の場合はＳＴ２２に移る。
ＳＴ１８において、省エネモード移行の条件（画像形成装置Ｕを１５分間放置）を満足したか否かを判別する。ノー（Ｎ）の場合は前記ＳＴ６に戻り、イエス（Ｙ）の場合はＳＴ１９に移る。
ＳＴ１９において、前記画像形成装置Ｕを省エネモードに移行して、ＳＴ２０に移る。
ＳＴ２０において、省エネモードが解除されたか否かを判別する。ノー（Ｎ）の場合は前記ＳＴ２０を繰り返し実行し、イエス（Ｙ）の場合はＳＴ２１に移る。
ＳＴ２１において、認証状態解除用マシン状態設定判別フラグＦＬ３＝「０」か否かを判別する。前記認証状態解除用マシン状態設定判別フラグＦＬ３＝「０」の場合、認証状態解除条件として認証状態解除用マシン状態（省エネモードが解除された時）が設定されていないことを意味する。ノー（Ｎ）の場合（ＦＬ３＝「１」の場合）はＳＴ２２に移り、イエス（Ｙ）の場合は前記ＳＴ５に戻る。
ＳＴ２２において、認証状態を解除して、前記ＳＴ１に戻る。
【００５３】
図８は認証処理のフローチャートであり、前記図７のＳＴ１のサブルーチンである。
図８のＳＴ３１において、次の処理（１）〜（５）を実行してＳＴ３２に移る。
（１）パスワード入力画面１１（図３Ａ参照）を前記表示器ＵＩ３に表示する。
（２）機能（コピー機能、ＦＡＸ機能、電子メール機能、文書読込み機能、文書取出し機能）の使用回数（ジョブ回数）ｎ＝０にする。
（３）回数条件設定状態判別フラグＦＬ１＝「０」にする。すなわち、前記回数条件設定状態判別フラグＦＬ１＝「０」の場合、認証状態解除条件として機能使用回数が設定されていないことを意味する。
（４）時間条件設定状態判別ブラグＦＬ２＝「０」にする。
（５）認証状態解除用マシン状態設定判別フラグＦＬ３＝「０」にする。
ＳＴ３２において、前記パスワード入力画面１１のログイン用アイコン１１ｃ（図３Ａ参照）が選択されたか否かを判別する。ノー（Ｎ）の場合はＳＴ３３に移り、イエス（Ｙ）の場合はＳＴ３７に移る。
ＳＴ３３において、前記パスワード入力画面１１のクリア用アイコン１１ｄが選択されたか否かを判別する。ノー（Ｎ）の場合はＳＴ３５に移り、イエス（Ｙ）の場合はＳＴ３４に移る。
ＳＴ３４において、前記パスワード入力画面１１（図３Ａ参照）のパスワード表示欄１１ｂに表示された情報を消去（クリア）して、前記ＳＴ３１に戻る。
【００５４】
ＳＴ３５において、前記パスワード入力画面１１の入力値アイコン１１ａまたはテンキーＵＩ２（図２参照）の入力によりパスワード（入力値）が入力されたか否かを判別する。ノー（Ｎ）の場合は前記ＳＴ３２に戻り、イエス（Ｙ）の場合はＳＴ３６に移る。
ＳＴ３６において、パスワードとしての入力値を入力値一時記憶メモリＣ６ａに記憶してパスワード表示欄１１ｂに図形△を表示する。そして、前記ＳＴ３２に戻る。
ＳＴ３７において、前記ＳＴ３５，ＳＴ３６で入力、記憶された入力値がパスワードとして正しいか否かを判別する。すなわち、前記入力値一時記憶メモリＣ６ａに一時記憶された入力値（入力パスワード）がパスワード記憶メモリＣ７ｂに記憶されたパスワードと比較して正しいか否かを判別する。ノー（Ｎ）の場合はＳＴ３８に移り、イエス（Ｙ）の場合は前記図７のＳＴ２に移る。
ＳＴ３８において、認証エラー画面１２（図３Ｂ参照）を前記表示器ＵＩ３に表示して、ＳＴ３９に移る。
ＳＴ３９において、所定時間経過（例えば、１０秒）したか否かを判別する。すなわち、前記ＳＴ３８において表示された認証エラー画面１２をユーザ（利用者）が確認する時間（例えば、１０秒）が経過したか否かを判別する。ノー（Ｎ）の場合はＳＴ３９を繰り返し実行し、イエス（Ｙ）の場合は前記ＳＴ３１に戻る。
【００５５】
図９は認証状態解除条件設定処理のフローチャートであり、前記図７のＳＴ２のサブルーチンである。
図９のＳＴ４１において、認証状態解除条件設定画面１３（図４Ａ参照）を前記表示器ＵＩ３に表示して、ＳＴ４２に移る。
ＳＴ４２において、前記認証状態解除条件設定画面１３の確認アイコン１３ｅが選択されたか否かを判別する。ノー（Ｎ）の場合はＳＴ４３に移り、イエス（Ｙ）の場合はＳＴ５１に移る。
ＳＴ４３において、前記認証状態解除条件設定画面１３の回数設定用アイコン１３ａが選択されたか否かを判別する。ノー（Ｎ）の場合はＳＴ４５に移り、イエス（Ｙ）の場合はＳＴ４４に移る。
ＳＴ４４において、回数条件設定処理を実行して、前記ＳＴ４１に戻る。なお、前記ＳＴ４４の回数条件設定処理は、後述の図１０により説明する。
【００５６】
ＳＴ４５において、前記認証状態解除条件設定画面１３の時間設定用アイコン１３ｂが選択されたか否かを判別する。ノー（Ｎ）の場合はＳＴ４７に移り、イエス（Ｙ）の場合はＳＴ４６に移る。
ＳＴ４６において、時間条件設定処理を実行して、前記ＳＴ４１に戻る。なお、前記ＳＴ４６の時間条件設定処理は、後述の図１１により説明する。
ＳＴ４７において、前記認証状態解除条件設定画面１３の認証状態解除操作設定用アイコン１３ｃが選択されたか否かを判別する。ノー（Ｎ）の場合はＳＴ４９に移り、イエス（Ｙ）の場合はＳＴ４８に移る。
ＳＴ４８において、認証状態解除操作設定処理を実行して、前記ＳＴ４１に戻る。なお、前記ＳＴ４８の認証状態解除操作設定処理は、後述の図１２により説明する。
ＳＴ４９において、前記認証状態解除条件設定画面１３の認証状態解除用マシン状態設定用アイコン１３ｄが選択されたか否かを判別する。ノー（Ｎ）の場合は前記ＳＴ４２に戻り、イエス（Ｙ）の場合はＳＴ５０に移る。
【００５７】
ＳＴ５０において、認証状態解除用マシン状態設定処理を実行して、前記ＳＴ４１に戻る。なお、前記ＳＴ５０の認証状態解除用マシン状態設定処理は、後述の図１３により説明する。
前記ＳＴ４２でイエス（Ｙ）の場合に移るＳＴ５１において、前記ＳＴ４４，ＳＴ４６，ＳＴ４８，ＳＴ５０で設定された情報（機能使用可能回数ｎａ、機能使用可能時間ｔａおよびラジオボタンの選択状態等）を認証状態解除条件一時記憶メモリＣ８ｅ１に記憶する。そして、ＳＴ５２に移る。
ＳＴ５２において、認証状態解除条件一覧画面１９（図６Ｂ参照）を前記表示器ＵＩ３に表示して、ＳＴ５３に移る。なお、前記認証状態解除条件一覧画面１９の認証状態解除条件一覧表示欄１９ａには、前記ＳＴ５１で前記認証状態解除条件一時記憶メモリＣ８ｅ１に記憶された情報が表示される。
ＳＴ５３において、前記認証状態解除条件一覧画面１９（図６Ｂ参照）の設定変更アイコン１９ｂが選択されたか否かを判別する。ノー（Ｎ）の場合はＳＴ５４に移り、イエス（Ｙ）の場合は前記ＳＴ４１に戻る。
ＳＴ５４において、前記認証状態解除条件一覧画面１９（図６Ｂ参照）の確認終了アイコン１９ｃが選択されたか否かを判別する。ノー（Ｎ）の場合は前記ＳＴ５３に戻り、イエス（Ｙ）の場合は前記図７のＳＴ３に移る。
【００５８】
図１０は回数条件設定処理のフローチャートであり、前記図９のＳＴ４４のサブルーチンである。
図１０のＳＴ６１において、回数条件設定画面１４（図４Ｂ参照）を前記表示器ＵＩ３（図２参照）に表示して、ＳＴ６２に移る。
ＳＴ６２において、設定アイコン１４ｅが入力されたか否かを判別する。ノー（Ｎ）の場合はＳＴ６３に移り、イエス（Ｙ）の場合はＳＴ７３に移る。
ＳＴ６３において、前記回数条件設定画面１４のラジオボタン１４ａが選択（入力）されたか否かを判別する。ノー（Ｎ）の場合はＳＴ６５に移り、イエス（Ｙ）の場合はＳＴ６４に移る。
【００５９】
ＳＴ６４において、次の処理（１），（２）を実行して、ＳＴ７２に移る。
（１）回数条件設定状態判別フラグＦＬ１＝「０」にする。なお、前記回数条件設定状態判別フラグＦＬ１＝「０」では、認証状態解除条件として画像形成装置Ｕの機能使用可能回数が設定されていないことを意味する。
（２）設定された機能使用可能回数ｎａに予設定値ｎ１をセット（ｎａ＝ｎ１）する。なお、前記予設定値ｎ１は、あらかじめ設定された０よりも大きい値であり、実施例１の前記予設定値ｎ１には、１が設定されている。
ＳＴ６５において、前記回数条件設定画面１４のラジオボタン１４ｂが選択（入力）されたか否かを判別する。ノー（Ｎ）の場合はＳＴ６７に移り、イエス（Ｙ）の場合はＳＴ６６に移る。
ＳＴ６６において、機能設定使用回数ｎａに１をセット（ｎａ＝１）して、ＳＴ７１に移る。
【００６０】
ＳＴ６７において、前記回数条件設定画面１４のラジオボタン１４ｃが選択されたか否かを判別する。ノー（Ｎ）の場合はＳＴ６９に移り、イエス（Ｙ）の場合はＳＴ６８に移る。
ＳＴ６８において、機能設定使用回数ｎａ＝５にして、ＳＴ７１に移る。
ＳＴ６９において、前記回数条件設定画面１４のラジオボタン１４ｄが選択されたか否かを判別する。ノー（Ｎ）の場合は前記ＳＴ６２に戻り、イエス（Ｙ）の場合はＳＴ７０に移る。
ＳＴ７０において、前記回数条件設定画面１４の入力項目に入力された入力値をｎ２とした場合、機能設定使用回数ｎａ＝ｎ２とする。そして、ＳＴ７１に移る。
ＳＴ７１において、回数条件設定状態判別フラグＦＬ１＝「１」にする。なお、回数条件設定状態判別フラグＦＬ１＝「１」では、認証状態解除条件として機能使用可能回数が設定されていることを意味する。そして、ＳＴ７２に移る。
【００６１】
ＳＴ７２において、入力情報に応じて前記回数条件設定画面１４（図４Ｂ参照）の画像を更新して、前記ＳＴ６２に戻る。すなわち、前記回数条件設定画面１４で選択されたラジオボタン（１４ａ〜１４ｄのいずれか）に印（前記ラジオボタン内に小径の丸を表示）を付ける。また、前記ラジオボタン１４ｄが選択された場合、テンキーＵＩ２（図２参照）により入力された入力情報（入力値）を入力項目に表示する。
ＳＴ７３において、前記回数条件設定画面１４での入力情報を設定回数一時記憶メモリＣ８ａ１に記憶する。そして、前記図９のＳＴ４１に戻る。
【００６２】
図１１は時間条件設定処理のフローチャートであり、前記図９のＳＴ４６のサブルーチンである。
図１１のＳＴ８１において、時間条件設定画面１６（図５Ａ参照）を前記表示器ＵＩ３（図２参照）に表示して、ＳＴ８２に移る。
ＳＴ８２において、設定アイコン１６ｅが入力されたか否かを判別する。ノー（Ｎ）の場合はＳＴ８３に移り、イエス（Ｙ）の場合はＳＴ９３に移る。
ＳＴ８３において、前記時間条件設定画面１６のラジオボタン１６ａが選択（入力）されたか否かを判別する。ノー（Ｎ）の場合はＳＴ８５に移り、イエス（Ｙ）の場合はＳＴ８４に移る。
【００６３】
ＳＴ８４において、次の処理（１），（２）を実行して、ＳＴ９２に移る。
（１）時間条件設定状態判別フラグＦＬ２＝「０」にする。なお、前記時間条件設定状態判別フラグＦＬ２＝「０」では、認証状態解除条件として画像形成装置Ｕの機能使用可能時間が設定されていないことを意味する。
（２）設定された機能使用可能時間ｔａに予設定値ｔ１をセット（ｔａ＝ｔ１）する。なお、前記予設定値ｔ１は、あらかじめ設定された０よりも大きい値であり、実施例１の前記予設定値ｔ１には、１が設定されている。
ＳＴ８５において、前記時間条件設定画面１６のラジオボタン１６ｂが選択（入力）されたか否かを判別する。ノー（Ｎ）の場合はＳＴ８７に移り、イエス（Ｙ）の場合はＳＴ８６に移る。
ＳＴ８６において、機能設定使用時間ｔａに１０をセット（ｔａ＝１０）して、ＳＴ９１に移る。
【００６４】
ＳＴ８７において、前記時間条件設定画面１６のラジオボタン１６ｃが選択されたか否かを判別する。ノー（Ｎ）の場合はＳＴ８９に移り、イエス（Ｙ）の場合はＳＴ８８に移る。
ＳＴ８８において、前記時間条件設定画面１６のラジオボタン１６ｃに対応する入力欄に入力された入力値をｔ２とした場合、機能設定使用時間ｔａ＝ｔ２とする。そして、ＳＴ９１に移る。
ＳＴ８９において、前記時間条件設定画面１６のラジオボタン１６ｄが選択されたか否かを判別する。ノー（Ｎ）の場合は前記ＳＴ８２に戻り、イエス（Ｙ）の場合はＳＴ９０に移る。
ＳＴ９０において、前記時間条件設定画面１６の前記ラジオボタン１６ｄに対応する入力項目に入力された入力値をｔ３ａ，ｔ３ｂとした場合、機能設定使用時間ｔａ＝時刻「ｔ３a」時「ｔ３b」分とする。そして、ＳＴ９１に移る。
【００６５】
ＳＴ９１において、時間条件設定状態判別フラグＦＬ２＝「１」にする。なお、時間条件設定状態判別フラグＦＬ２＝「１」では、認証状態解除条件として画像形成装置Ｕの機能使用可能時間が設定されていることを意味する。そして、ＳＴ９２に移る。
ＳＴ９２において、入力情報に応じて前記時間条件設定画面１６（図５Ａ参照）の画像を更新する。すなわち、前記時間条件設定画面１６で選択されたラジオボタン（１６ａ〜１６ｄ）に印（前記ラジオボタン内に小径の丸を表示）を付ける。また、前記ラジオボタン１６ｃまたは１６ｄが選択された場合、テンキーＵＩ２（図２参照）により入力された入力情報（入力値）を前記ラジオボタン１６ｃまたは１６ｄに対応する入力欄に表示する。そして、前記ＳＴ８２に戻る。
ＳＴ９３において、前記時間条件設定画面１５での入力情報を設定回数一時記憶メモリＣ８ｂ１に記憶する。そして、前記図９のＳＴ４１に戻る。
【００６６】
図１２は認証状態解除操作設定処理のフローチャートであり、前記図９のＳＴ４８のサブルーチンである。
図１２のＳＴ１０１において、認証状態解除操作設定画面１７（図５Ｂ参照）を前記表示器ＵＩ３に表示して、ＳＴ１０２に移る。
ＳＴ１０２において、設定アイコン１７ｂが入力されたか否かを判別する。ノー（Ｎ）の場合はＳＴ１０３に移り、イエス（Ｙ）の場合はＳＴ１０５に移る。
ＳＴ１０３において、前記認証状態解除操作設定画面１７のチェックボックス１７ａが選択されたか否かを判別する。ノー（Ｎ）の場合は前記ＳＴ１０２に戻り、イエス（Ｙ）の場合はＳＴ１０４に移る。
ＳＴ１０４において、入力に応じて前記認証状態解除操作設定画面１７の画像を更新して、前記ＳＴ１０２に戻る。すなわち、前記認証状態解除操作設定画面１７のチェックボックス１７ａにチェックを付けたり消したりする。
【００６７】
ＳＴ１０５において、前記条件設定画面１７のチェックボックス１７ａにチェックが有るか否かを判別する。ノー（Ｎ）の場合は前記図９のＳＴ４１に戻り、イエス（Ｙ）の場合はＳＴ１０６に移る。
ＳＴ１０６において、次の処理（１）〜（３）を実行して、前記図９のＳＴ４１に戻る。
（１）回数条件設定状態判別フラグＦＬ１＝「０」にする。
（２）時間条件設定状態判別フラグＦＬ２＝「０」にする。
（３）認証状態解除用マシン状態設定判別フラグＦＬ３＝「０」にする。なお、前記認証状態解除用マシン状態設定判別フラグＦＬ３＝「０」では、認証解除条件として認証解除用マシン状態（省エネモードを解除した時）が設定されていないことを意味する。
【００６８】
図１３は認証状態解除用マシン状態設定処理のフローチャートであり、前記図９のＳＴ５０のサブルーチンである。
図１３のＳＴ１１１において、認証状態解除用マシン状態設定画面１８（図６Ａ参照）を前記表示器ＵＩ３に表示して、ＳＴ１１２に移る。
ＳＴ１１２において、設定アイコン１８ｂが選択されたか否かを判別する。ノー（Ｎ）の場合はＳＴ１１３に移り、イエス（Ｙ）の場合はＳＴ１１５に移る。
ＳＴ１１３において、チェックボックス１８ａが選択されたか否かを判別する。ノー（Ｎ）の場合は前記ＳＴ１１２に戻り、イエス（Ｙ）の場合はＳＴ１１４に移る。
ＳＴ１１４において、入力に応じて前記認証解除用マシン状態設定画面１８の画像を更新して、前記ＳＴ１１２に戻る。すなわち、前記認証状態解除用マシン状態設定画面１８のチェックボックス１８ａにチェックを付けたり消したりする。
【００６９】
ＳＴ１１５において、前記認証状態解除用マシン状態設定画面１８のチェックボックス１８ａにチェックが有るか否かを判別する。ノー（Ｎ）の場合はＳＴ１１６に移り、イエス（Ｙ）の場合はＳＴ１１７に移る。
ＳＴ１１６において、認証状態解除用マシン状態設定判別フラグＦＬ３＝「０」にする。なお、前記認証状態解除用マシン状態設定判別フラグＦＬ３＝「０」では、認証解除条件として認証状態解除用マシン状態（省エネモードが解除されたとき時）が設定されていないことを意味する。そして、前記図９のＳＴ４１に戻る。
ＳＴ１１７において、認証状態解除用マシン状態設定判別フラグＦＬ３＝「１」にする。なお、前記認証状態解除用マシン状態設定判別フラグＦＬ３＝「１」では、認証解除条件として認証状態解除用マシン状態（省エネモードが解除された時）が設定されていることを意味する。そして、前記図９のＳＴ４１に戻る。
【００７０】
図１４は機能選択時の処理のフローチャートであり、前記図７のＳＴ８，ＳＴ１０，ＳＴ１２，ＳＴ１４，ＳＴ１６のサブルーチンである。
図１４において、前記図７のＳＴ８，ＳＴ１０，ＳＴ１２，ＳＴ１４，ＳＴ１６は同様の処理を実行する。
図１４のＳＴ１２１において、ジョブが開始（画像形成装置Ｕの機能が使用）されたか否かを判別する。なお、前記ジョブとは、コピー機能選択時に実行されるコピー、ＦＡＸ機能選択時に実行されるイメージデータの送信、電子メール機能選択時に実行される公衆回線を介して電子メールの送信、文書読込み機能選択時に実行される前記プラテンガラス上の原稿または自動原稿搬送装置Ｕ３により搬送された原稿の画像の読込み、文書取出し機能選択時に実行される前記画像形成装置Ｕに記憶された情報（文書、画像等）の取出しを意味する。ノー（Ｎ）の場合は前記ＳＴ１２１を繰り返し実行し、イエス（Ｙ）の場合はＳＴ１２２に移る。
ＳＴ１２２において、回数条件設定状態判別フラグＦＬ１＝「１」か否かを判別する。ノー（Ｎ）の場合はＳＴ１２４に移り、イエス（Ｙ）の場合はＳＴ１２３に移る。
ＳＴ１２３において、機能使用回数（ジョブ回数）ｎ＝ｎ＋１とする。そして、ＳＴ１２４に移る。
ＳＴ１２４において、ジョブ終了か否かを判別する。ノー（Ｎ）の場合はＳＴ１２４を繰り返し実行し、イエス（Ｙ）の場合はＳＴ１２５に移る。
【００７１】
ＳＴ１２５において、画像形成装置Ｕの機能使用回数ｎが、設定された機能使用可能回数ｎａに達した（ｎ≧ｎａ）か否かを判別する。なお、前記機能使用可能回数ｎａは、前記図１０に示す回数条件設定処理で設定された値である。ノー（Ｎ）の場合はＳＴ１２６に移り、イエス（Ｙ）の場合は前記図７のＳＴ２２に移る。
ＳＴ１２６において、計測タイマＴＭ１がタイムアップ（ｔ≧ｔａ）したか否かを判別する。なお、前記計測タイマＴＭ１にセットされる機能使用可能時間ｔａは、前記図１１に示す時間条件設定処理のサブルーチンで設定された値である。ノー（Ｎ）の場合はＳＴ１２７に移り、イエス（Ｙ）の場合は前記図７のＳＴ２２に移る。
ＳＴ１２７において、認証解除キーＵＩ５が入力されたか否かを判別する。ノー（Ｎ）の場合はＳＴ１２８に移り、イエス（Ｙ）の場合は前記図７のＳＴ２２に移る。
ＳＴ１２８において、メニューキーＵＩ６が入力されたか否かを判別する。ノー（Ｎ）の場合はＳＴ１２９に移り、イエス（Ｙ）の場合は前記図７のＳＴ５に戻る。
ＳＴ１２９において、機能解除の条件（例えば、画像形成装置Ｕを１０分間放置）を満足したか否かを判別する。ノー（Ｎ）の場合はＳＴ１３０に移り、イエス（Ｙ）の場合は前記図７のＳＴ５に戻る。
ＳＴ１３０において、ジョブ開始（画像形成装置の機能使用）か否かを判別する。ノー（Ｎ）の場合は前記ＳＴ１２５に移り、イエス（Ｙ）の場合はＳＴ１２２に戻る。
【００７２】
（実施例１の作用）
前記構成を備えた実施例１のＣＰＵ内蔵装置としての画像形成装置Ｕは、前記ＳＴ２において、ユーザが前記画像形成装置Ｕを使用可能な状態である認証状態（ログイン状態）から使用不可能な非認証状態（ログアウト状態）への移行条件である認証状態自動解除条件を、認証作業時（ログイン作業時）に設定する認証状態自動解除条件設定工程が実施される。
前記ＳＴ２１，ＳＴ１２５，ＳＴ１２６において、前記認証状態（ログイン状態）において前記ユーザが前記画像形成装置Ｕを使用可能な状態に保持する認証状態保持工程中に、前記認証状態自動解除条件が成立したか否かを判別する認証状態解除条件成立判別工程が実施される。
前記ＳＴ２２において、前記認証状態自動解除条件が成立した場合に画像形成装置Ｕをユーザが使用可能な状態である認証状態（ログイン状態）から使用不可能な非認証状態（ログアウト状態）に自動的に移行する状態移行工程が実施される。
前記ＳＴ２２，ＳＴ３１〜ＳＴ３６において、前記ユーザが前記画像形成装置Ｕを使用不可能な状態である前記非認証状態（ログアウト状態）に保持する非認証状態保持工程（ログアウト状態保持工程）が実施される。
実施例１の認証状態解除方法は、認証状態自動解除条件設定工程、状態移行工程および非認証状態保持工程等を有している。
【００７３】
前記ＳＴ３１において、前記画像形成装置Ｕを使用しようとするユーザにパスワードを入力することを要求するパスワード入力画面１１（図３Ａ参照）を、前記表示器ＵＩ３に表示するパスワード入力画面表示工程が実施される。
前記ＳＴ２，ＳＴ３７において、前記パスワード入力画面１１（図３Ａ参照）にユーザが入力したパスワード（入力パスワード）が前記パスワード記憶メモリＣ７ｂに記憶されたパスワード（記憶パスワード）と一致している場合に正しいパスワードが入力されたと判別するパスワード判別工程を含み、前記正しいパスワードが入力されたと判別された場合に、前記正しいパスワードを入力したユーザが前記画像形成装置Ｕを使用する資格の有るユーザ（有資格ユーザ）であると認証する有資格ユーザ認証工程が実施される。
前記ＳＴ６〜ＳＴ２１において、前記有資格ユーザ認証手段Ｃ７が前記有資格ユーザであると認証した場合に、前記有資格ユーザが前記画像形成装置Ｕを使用可能な状態である認証状態（ログイン状態）に保持する認証状態保持工程が実施される。
実施例１の認証方法は、前記パスワード入力画面表示工程、有資格ユーザ認証工程および認証状態保持工程等を有している。
【００７４】
前記構成を備えた実施例１のＣＰＵ内蔵装置としての画像形成装置Ｕは、正しいパスワードを入力したユーザにのみ前記画像形成装置Ｕの機能（コピー機能、ＦＡＸ機能、電子メール機能、文書読込み機能、文書取出し機能）を使用可能にする。前記正しいパスワードを入力して認証状態（ログイン状態）に移行した際、前記画像形成装置Ｕの機能使用前に、前記認証状態を自動で解除（ログアウト状態に移行）するための条件設定（機能使用可能回数設定、機能使用可能時間設定、省エネモード解除時に認証状態を解除する認証状態解除用マシン状態設定）を行う。したがって、前記画像形成装置Ｕの機能使用後に認証状態解除操作（認証解除キーＵＩ５入力）を前記ユーザが忘れてしまった場合でも、前記認証状態解除用の条件設定により、自動で認証状態を解除することができる。このため、目的の操作終了後に認証状態解除操作を忘れた場合でも、他者（認証者以外の人）による前記画像形成装置Ｕの不正使用（他者の認証状態で装置の無断継続使用）を防止することができる。
【００７５】
また、代行で他者に機能使用（ジョブ）を任せる際、前記機能使用前に認証状態を自動で解除するための条件設定を認証者（ユーザ）が行っているため、機能使用後（ジョブ終了後）に代行者が認証者の権限で画像形成装置Ｕを多数回または長時間無断使用（不正使用）しようとしても、認証状態が自動解除される。前記画像形成装置Ｕの認証状態が解除された状態（非認証状態）になってからは、前記画像形成装置Ｕの機能が使用不可能となるので、代行者は不正使用を続けることができない。
また、機能使用可能回数ｎａおよび機能使用可能時間ｔａ等を、認証を受けるユーザが設定することができるので、前記画像形成装置Ｕの認証状態を自動解除するための条件をユーザの所望どおりに設定することができる。
【００７６】
（実施例２）
図１５は実施例２のＣＰＵ内蔵装置としての画像形成装置の機能をブロック（機能ブロック）で示したブロック線図である。
なお、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
図１５において、実施例２のコントローラＣの画面表示手段Ｃ５には、前記実施例１の画面表示手段Ｃ５ｃ〜Ｃ５ｇが省略され、その代わりに、認証状態解除条件設定画面Ｃ５ｃ′が設けられている。さらに、実施例２のコントローラＣは、使用可能機能設定手段Ｃ１５および使用可能機能判別手段Ｃ１６を備えている。
【００７７】
（実施例２の画像形成装置ＵのコントローラＣの機能）
Ｃ５：画面表示手段
画面表示手段Ｃ５は、パスワード入力画面表示手段Ｃ５ａと、認証エラー画面表示手段Ｃ５ｂと、認証状態解除条件設定画面表示手段Ｃ５ｃ′と、認証状態解除条件一覧画面表示手段Ｃ５ｈと、メニュー画面表示手段Ｃ５ｉと、使用可能機能設定画面表示手段Ｃ１５ｊと、機能使用不可告知画面表示手段Ｃ５ｋと、を有している。
【００７８】
図１６は実施例２のユーザインタフェースの表示器に表示される画面の説明図であり、図１６Ａは認証状態設定画面の説明図、図３Ｂは使用可能機能設定画面の説明図、図１６Ｃは機能使用不可告知画面の説明図である。
Ｃ５ｃ′：認証状態解除条件設定画面表示手段
認証状態解除条件設定画面表示手段Ｃ５ｃ′は、認証状態を解除するための条件を設定する認証解状態解除条件設定画面１３′（図１６Ａ参照）を表示する。図１６Ａにおいて、前記認証解状態解除条件設定画面１３′は、認証状態で前記画像形成装置Ｕの機能（コピー機能、ＦＡＸ機能、電子メール機能、文書読込み機能、文書取出し機能）を使用するための条件（使用可能機能回数ｎａ、使用可能機能時間ｔａ、認証状態解除操作設定および認証状態解除用マシン状態）を設定するための表示欄１３ａ′と、前記表示欄１３ａ′に入力した情報（認証状態を自動解除するための条件）を設定するための設定アイコン１３ｂ′と、を有している。
【００７９】
Ｃ５ｊ：使用可能機能設定画面表示手段
使用可能機能設定画面表示手段Ｃ５ｊは、認証状態で使用する機能を設定するための使用可能機能設定画面２２（図６Ｂ参照）を前記表示器ＵＩ３に表示する。前記使用可能機能設定画面２２は、認証状態でコピー機能を使用可能に設定するためのチェックボックス２２ａと、認証状態でＦＡＸ機能を使用可能に設定するためのチェックボックス２２ｂと、認証状態で宛先表からのＦＡＸ送信のみを許可するチェックボックス２２ｂ′と、認証状態で電子メール機能を使用可能に設定するためのチェックボックス２２ｃと、認証状態で文書読込み機能を使用可能に設定するためのチェックボックス２２ｄと、認証状態で文書取出し機能を使用可能に設定するためのチェックボックス２２ｅと、認証状態ですべての機能を使用可能に設定するためのアイコン２２ｆと、前記チェックボックス２２ａ〜２２ｅの入力情報を設定する設定アイコン２２ｇと、を有している。
Ｃ５ｋ：機能使用不可告知画面表示手段
機能使用不可告知画面表示手段Ｃ５ｋは、認証状態で選択された機能が使用不可である場合に、その旨をユーザに告知する機能使用不可告知画面２３を前記表示器ＵＩ３に表示する。すなわち、前記使用可能機能設定画面２２の前記チェックボックス２２ａ〜２２ｅの入力情報に基づいて、認証状態で選択された機能が使用不可である場合に表示する。
【００８０】
Ｃ１５：使用可能機能設定手段
使用可能機能設定手段Ｃ１５は、設定使用可能機能一時記憶メモリＣ１５ａを有している。前記使用可能機能設定手段Ｃ１５は、前記画像形成装置Ｕが有する複数の機能（コピー機能、ＦＡＸ機能、電子メール機能、文書読込み機能、文書取出し機能）のなかで、認証状態で使用する機能を設定（すなわち、使用可能機能を制限）する。
Ｃ１５ａ：設定可能機能一時記憶メモリ
設定可能機能一時記憶メモリＣ１５ａは、認証状態で使用可能に設定された前記画像形成装置Ｕの機能を記憶する。
Ｃ１６：使用可能機能判別手段
使用可能機能判別手段Ｃ１６は、前記使用可能機能一時記憶メモリＣ１５ａに記憶された情報に基づいて、前記画像形成装置Ｕの各機能の中でどの機能が使用可能状態であるか否かを判別する。
【００８１】
（実施例２の画像形成装置のメインフローチャートの説明）
図１７は実施例２の画像形成装置のメインフローチャートである。
図１８は実施例２の画像形成装置のメインフローチャートのつづきのフローチャートである。
なお、前記図１７、図１８は、前記実施例１の図７に示す実施例１の画像形成装置のメインフローチャートに対応する図面である。
図１７、図１８に示す実施例２の画像形成装置のフローチャートは、前記図７に示す画像形成装置のフローチャートと下記の点で相違している。なお、図１７、図１８のフローチャートの説明において、前記図７のフローチャートのＳＴ（ステップ）と同一の処理に対しては同一のスッテップ（ＳＴ）番号を付して詳細な説明を省略する。
【００８２】
図１７のＳＴ（ステップ）１の認証処理を実行してから、次にＳＴ２ａにおいて、認証状態解除条件設定処理を実行して、ＳＴ２ｂに移る。なお、実施例２の認証状態解除条件設定処理は、前記表示器ＵＩ３に表示した前記認証解除条件設定画面１３′（図１６Ａ参照）において、認証者（ユーザ）が認証状態解除条件を設定する。
ＳＴ２ｂにおいて、使用可能機能設定処理を実行して、ＳＴ３に移る。なお、前記使用可能機能設定処理は、後述の図１９により説明する。
図１８のＳＴ６でノー（Ｎ）の場合はＳＴ７′において、コピー機能使用可能判別フラグＦＬ１１＝「１」か否かを判別する。前記コピー機能使用可能判別フラグＦＬ１１＝「１」の状態では、前記メニュー画面２１（図６Ｃ参照）のコピー機能選択用アイコン２１ａが白抜きにされて操作無効の状態に保持される。ノー（Ｎ）の場合はＳＴ９′に移り、イエス（Ｙ）の場合はＳＴ７に移る。
【００８３】
ＳＴ９′において、ＦＡＸ機能使用可能判別フラグＦＬ１２＝「１」か否かを判別する。前記ＦＡＸ機能使用可能判別フラグＦＬ１２＝「１」の状態では、前記メニュー画面２１（図６Ｃ参照）のＦＡＸ機能選択用アイコン２１ｂが白抜きにされて操作無効の状態に保持される。ノー（Ｎ）の場合はＳＴ１１′に移り、イエス（Ｙ）の場合はＳＴ９に移る。
ＳＴ９においてイエス（Ｙ）の場合はＳＴ１０′において、ＦＡＸ機能選択時の処理を実行して、ＳＴ２２に移る。なお、前記ＦＡＸ機能選択時の処理は、後述の図２０により説明する。
ＳＴ１１′において、電子メール機能使用可能判別フラグＦＬ１３＝「１」か否かを判別する。前記電子メール機能使用可能判別ブラグＦＬ１３＝「１」の状態では、前記メニュー画面２１（図６Ｃ参照）の電子メール機能選択用アイコン２１ｃが白抜きにされて操作無効の状態に保持される。ノー（Ｎ）の場合はＳＴ１３′に移り、イエス（Ｙ）の場合はＳＴ１１に移る。
【００８４】
ＳＴ１３′において、文書読込み機能使用可能判別手段ＦＬ１４＝「１」か否かを判別する。前記文書読込み機能使用可能判別手段ＦＬ１４＝「１」の状態では、前記メニュー画面２１（図６Ｃ参照）の文書読込み機能選択用アイコン２１ｄが白抜きにされて操作無効の状態に保持される。ノー（Ｎ）の場合はＳＴ１５′に移り、イエス（Ｙ）の場合はＳＴ１３に移る。
ＳＴ１５′において、文書取出し機能使用可能判別手段ＦＬ１５＝「１」か否かを判別する。前記文書取出し機能使用可能判別手段ＦＬ１５＝「１」の状態では、前記メニュー画面２１（図６Ｃ参照）の文書取出し機能選択用アイコン２１ｅが白抜きにされて操作無効の状態に保持される。ノー（Ｎ）の場合はＳＴ１７に移り、イエス（Ｙ）の場合はＳＴ１５に移る。
【００８５】
図１９は使用可能機能設定処理のフローチャートであり、前記図１７のＳＴ２ｂのサブルーチンである。
図１９のＳＴ１４１において、使用可能機能設定画面２２（図１６Ｂ参照）を前記表示器ＵＩ３に表示し、ＳＴ１４２に移る。
ＳＴ１４２において、前記使用可能機能設定画面２２の設定アイコン２２ｇが選択されたか否かを判別する。ノー（Ｎ）の場合はＳＴ１４３に移り、イエス（Ｙ）の場合はＳＴ１７１に移る。
【００８６】
ＳＴ１４３において、前記使用可能機能設定画面２２のチェックボックス２２ａが選択されたか否かを判別する。ノー（Ｎ）の場合はＳＴ１４７に移り、イエス（Ｙ）の場合はＳＴ１４４に移る。
ＳＴ１４４において、コピー機能選択可能状態判別フラグＦＬ１１＝「０」か否かを判別する。前記コピー機能選択可能状態判別フラグＦＬ１１＝「０」の状態では、前記メニュー画面２１（図６Ｃ参照）のコピー機能選択用アイコン２１ａを白抜きにして操作無効状態に保持される。ノー（Ｎ）の場合はＳＴ１４６に移り、イエス（Ｙ）の場合はＳＴ１４５に移る。
ＳＴ１４５において、コピー機能選択可能状態判別フラグＦＬ１１＝「１」にして、ＳＴ１７０に移る。前記コピー機能選択可能状態判別フラグＦＬ１１＝「１」の状態は、前記メニュー画面２１（図６Ｃ参照）のコピー機能選択用アイコン２１ａを選択可能な状態であり、コピー機能使用可能な状態である。
ＳＴ１４６において、前記コピー機能選択可能状態判別フラグＦＬ１１＝「０」にして、ＳＴ１７０に移る。
【００８７】
ＳＴ１４７において、前記使用可能機能設定画面２２のチェックボックス２２ｂが選択されたか否かを判別する。ノー（Ｎ）の場合はＳＴ１５１に移り、イエス（Ｙ）の場合はＳＴ１４８に移る。
ＳＴ１４８において、ＦＡＸ機能選択可能状態判別フラグＦＬ１２＝「０」か否かを判別する。前記コピー機能選択可能状態判別フラグＦＬ１２＝「０」の状態では、前記メニュー画面２１（図６Ｃ参照）のＦＡＸ機能選択用アイコン２１ｂを白抜きにして操作無効状態に保持される。ノー（Ｎ）の場合はＳＴ１５０に移り、イエス（Ｙ）の場合はＳＴ１４９に移る。
ＳＴ１４９において、ＦＡＸ機能選択可能状態判別フラグＦＬ１２＝「１」にして、ＳＴ１７０に移る。前記ＦＡＸ機能選択可能状態判別フラグＦＬ１２＝「１」の状態は、前記メニュー画面２１（図６Ｃ参照）のＦＡＸ機能選択用アイコン２１ｂを選択可能な状態であり、ＦＡＸ機能使用可能な状態である。
ＳＴ１５０において、次の処理（１），（２）を実行して、ＳＴ１７０に移る。
（１）前記ＦＡＸ機能選択可能状態判別フラグＦＬ１２＝「０」にする。
（２）ＦＡＸ機能一部使用可能状態判別フラグＦＬ１２′＝「０」にする。前記ＦＡＸ機能一部使用可能状態判別フラグＦＬ１２′＝「０」の状態では、ＦＡＸ機能に制限設定（宛先表からの送信のみを許可）をしていない状態を意味する。前記コピー機能一部使用可能状態判別フラグＦＬ１２′＝「１」の状態は、ＦＡＸ機能に制限設定（宛先表からの送信のみを許可）をしている状態を意味する。
【００８８】
ＳＴ１５１において、前記使用可能機能設定画面２２のチェックボックス２２ｂ′が選択されたか否かを判別する。ノー（Ｎ）の場合はＳＴ１５６に移り、イエス（Ｙ）の場合はＳＴ１５２に移る。
ＳＴ１５２において、前記ＦＡＸ機能選択可能状態判別フラグＦＬ１２＝「１」にして、ＳＴ１５３に移る。
ＳＴ１５３において、コピー機能一部使用可能状態判別フラグＦＬ１２′＝「０」か否かを判別する。ノー（Ｎ）の場合はＳＴ１５５に移り、イエス（Ｙ）の場合はＳＴ１５４に移る。
ＳＴ１５４において、コピー機能一部使用可能状態判別フラグＦＬ１２′＝「１」にして、ＳＴ１７０に移る。前記コピー機能一部使用可能状態判別フラグＦＬ１２′＝「１」の状態は、ＦＡＸ機能に制限設定（宛先表からの送信のみを許可）をしている状態を意味する。
ＳＴ１５５において、前記コピー機能一部使用可能状態判別フラグＦＬ１２′＝「０」にして、ＳＴ１７０に移る。
【００８９】
ＳＴ１５６において、前記使用可能機能設定画面２２のチェックボックス２２ｃが選択されたか否かを判別する。ノー（Ｎ）の場合はＳＴ１６０に移り、イエス（Ｙ）の場合はＳＴ１５７に移る。
ＳＴ１５７において、電子メール機能選択可能状態判別フラグＦＬ１３＝「０」か否かを判別する。前記電子メール機能選択可能状態判別フラグＦＬ１３＝「０」の状態では、前記メニュー画面２１（図６Ｃ参照）の電子メール機能選択用アイコン２１ｃを白抜きにして操作無効状態に保持される。ノー（Ｎ）の場合はＳＴ１５９に移り、イエス（Ｙ）の場合はＳＴ１５８に移る。
ＳＴ１５８において、電子メール機能選択可能状態判別フラグＦＬ１３＝「１」にして、ＳＴ１７０に移る。前記電子メール機能選択可能状態判別フラグＦＬ１３＝「１」の状態は、前記メニュー画面２１（図６Ｃ参照）の電子メール機能選択用アイコン２１ｃを選択可能な状態であり、電子メール機能使用可能な状態である。
ＳＴ１５９において、前記電子メール機能選択可能状態判別フラグＦＬ１３＝「０」にして、ＳＴ１７０に移る。
【００９０】
ＳＴ１６０において、前記使用可能機能設定画面２２のチェックボックス２２ｄが選択されたか否かを判別する。ノー（Ｎ）の場合はＳＴ１６４に移り、イエス（Ｙ）の場合はＳＴ１６１に移る。
ＳＴ１６１において、文書読込み機能選択可能状態判別フラグＦＬ１４＝「０」か否かを判別する。前記文書読込み機能選択可能状態判別フラグＦＬ１４＝「０」の状態では、前記メニュー画面２１（図６Ｃ参照）の文書読込み機能選択用アイコン２１ｄを白抜きにして操作無効状態に保持される。ノー（Ｎ）の場合はＳＴ１６３に移り、イエス（Ｙ）の場合はＳＴ１６２に移る。
ＳＴ１６２において、文書読込み機能選択可能状態判別フラグＦＬ１４＝「１」にして、ＳＴ１７０に移る。前記文書読込み機能選択可能状態判別フラグＦＬ１４＝「１」の状態は、前記メニュー画面２１（図６Ｃ参照）の文書読込み機能選択用アイコン２１ｄを選択可能な状態であり、文書読込み機能使用可能な状態である。
ＳＴ１６３において、前記文書読込み機能選択可能状態判別フラグＦＬ１４＝「０」にして、ＳＴ１７０に移る。
【００９１】
ＳＴ１６４において、前記使用可能機能設定画面２２のチェックボックス２２ｅが選択されたか否かを判別する。ノー（Ｎ）の場合はＳＴ１６８に移り、イエス（Ｙ）の場合はＳＴ１６５に移る。
ＳＴ１６５において、文書取出し機能選択可能状態判別フラグＦＬ１５＝「０」か否かを判別する。前記文書取出し機能選択可能状態判別フラグＦＬ１５＝「０」の状態では、前記メニュー画面２１（図６Ｃ参照）の文書取出し機能選択用アイコン２１ｅを白抜きにして操作無効状態に保持される。ノー（Ｎ）の場合はＳＴ１６７に移り、イエス（Ｙ）の場合はＳＴ１６６に移る。
ＳＴ１６６において、文書取出し機能選択可能状態判別フラグＦＬ１５＝「１」にして、ＳＴ１７０に移る。前記文書取出し機能選択可能状態判別フラグＦＬ１５＝「１」の状態は、前記メニュー画面２１（図６Ｃ参照）の文書取出し機能選択用アイコン２１ｅを選択可能な状態であり、文書取出し機能使用可能な状態である。
ＳＴ１６７において、前記文書取出し機能選択可能状態判別フラグＦＬ１５＝「０」にして、ＳＴ１７０に移る。
【００９２】
ＳＴ１６８において、前記使用可能機能設定画面２２のすべての操作を許可するアイコン２２ｆが選択されたか否かを判別する。ノー（Ｎ）の場合は前記ＳＴ１４２に戻り、イエス（Ｙ）の場合はＳＴ１６９に移る。
ＳＴ１６９において、次の処理（１）〜（６）を実行して、ＳＴ１７０に移る。
（１）前記コピー機能選択可能状態判別フラグＦＬ１１＝「１」にする。
（２）前記ＦＡＸ機能選択可能状態判別フラグＦＬ１２＝「１」にする。
（３）前記コピー機能一部使用可能状態判別フラグＦＬ１２′＝「０」にする。
（４）前記電子メール機能選択可能状態判別フラグＦＬ１３＝「１」にする。
（５）前記文書読込み機能選択可能状態判別フラグＦＬ１４＝「１」にする。
（６）前記文書取出し機能選択可能状態判別フラグＦＬ１５＝「１」にする。
ＳＴ１７０において、入力情報に応じて前記使用可能機能設定画面２２の画像を更新して、前記ＳＴ１４２に戻る。すなわち、前記使用可能機能設定画面２２で選択されたチェックボックス２２ａ〜２２ｅにチェックを付ける。
ＳＴ１７１において、前記使用可能機能設定画面２２での入力情報を設定使用可能機能一時記憶メモリＣ１５ａに記憶する。そして、前記図１７のＳＴ３に移る。
【００９３】
図２０は実施例２のＦＡＸ機能選択時の処理のフローチャートであり、前記図１８のＳＴ１０′のサブルーチンである。
なお、前記図２０は、前記実施例１の図１４に示す実施例１の機能選択時処理のフローチャートに対応する図面である。
図２０に示す実施例２のＦＡＸ機能選択時の処理のフローチャートは、前記図１４に示す機能選択時処理のフローチャートと下記の点で相違している。なお、図２０のフローチャートの説明において、前記図１４のフローチャートのステップと同一の処理に対しては同一のスッテップ（ＳＴ）番号を付して詳細な説明を省略する。
【００９４】
図２０のＳＴ１２１ａにおいて、ＦＡＸ機能一部使用可能状態判別フラグＦＬ１２′＝「０」が否かを判別する。ノー（Ｎ）の場合はＳＴ１２１ｂに移り、イエス（Ｙ）の場合はＳＴ１２１に移る。
ＳＴ１２１ｂにおいて、宛先表からのＦＡＸ送信か否かを判別する。ノー（Ｎ）の場合はＳＴ１２１ｃに移り、イエス（Ｙ）の場合はＳＴ１２１に移る。
ＳＴ１２１ｃにおいて、機能使用不可告知画面２３を前記表示器ＵＩ３に表示して、ＳＴ１２１ｄに移る。
ＳＴ１２１ｄにおいて、所定時間経過（例えば、１０秒）したか否かを判別する。すなわち、前記ＳＴ１２１ｃにおいて表示された機能使用不可告知画面２３をユーザ（利用者）が確認する時間（例えば、１０秒）が経過したか否かを判別する。ノー（Ｎ）の場合はＳＴ１２１ｄを繰り返し実行し、イエス（Ｙ）の場合は前記図７のＳＴ５に戻る。
【００９５】
（実施例２の作用）
前記構成を備えた実施例２の画像形成装置Ｕでは、前記ＳＴ２ｂにおいて、前記有資格ユーザ認証工程の次に実行する使用可能機能設定工程であって、前記画像形成装置Ｕが有する複数の機能（コピー機能、ＦＡＸ機能、電子メール機能、文書読込み機能、文書取出し機能）の中で、前記認証状態（ログイン状態）での前記ユーザが使用可能な機能を設定する使用可能機能設定工程が実施される。
実施例２の認証方法は、前記パスワード入力画面表示工程、有資格ユーザ認証工程、認証状態保持工程および使用可能機能設定工程等を有している。
【００９６】
前記構成を備えた実施例２の画像形成装置Ｕは、前記実施例１の画像形成装置Ｕと同様に、前記画像形成装置Ｕの機能使用後に認証状態解除操作（認証解除キーＵＩ５入力）を前記ユーザ（認証者）が忘れてしまった場合でも、認証状態解除用の条件設定により、自動で認証状態を解除することができる。
また、実施例２の画像形成装置Ｕでは、前記機能使用前に認証状態を自動で解除するための条件設定と、認証状態で使用できる機能設定と、を認証者（ユーザ）が行っている。前記認証状態で使用できる機能を設定しているため、代行で他者に機能使用（ジョブ）を任せる際、前記機能使用後（ジョブ終了後）に代行者が認証者の権限で画像形成装置Ｕの機能を無断使用しようとしても、認証状態で使用できる機能が制限されているため、目的の機能（すなわち、代行で他者に任せたジョブ機能）以外は使用することがきない。
【００９７】
（実施例２の変更例）
図２１は実施例２の変更例の説明図であり、実施例２の変更例のメニュー画面の説明図である。
なお、この実施例２の変更例の説明において、前記実施例２の構成要素に対応する構成要素には同一の符号を付して、その詳細な説明を省略する。
この実施例２の変更例は、下記の点で前記実施例２と相違しているが、他の点では前記実施例２と同様に構成されている。
【００９８】
図２１において、実施例２の変更例のメニュー画面２１′には、設定表示欄２１ｆが設けられている。前記設定表示欄２１ｆには、前記図１７のＳＴ２ａ（認証状態解除条件設定処理）で設定された認証解除条件と、前記図１７のＳＴ２ｂ（使用可能機能設定処理）で設定された使用可能機能と、が表示される。
認証状態の画像形成装置Ｕを使用する者は、前記設定表示欄２１ｆにより、認証解除条件および使用可能機能を容易に確認することができる。なお、前記表示器ＵＩ３に表示される画面に、前記画像形成装置Ｕが認証状態（ログイン状態）に移行してから非認証状態（ログアウト状態）になるまでの間、認証解除条件および使用可能機能を表示する設定表示欄を表示することも可能である。
【００９９】
(変更例)
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ03）を下記に例示する。
（Ｈ01）前記実施例２において、画像形成装置Ｕの認証状態自動解除条件設定および使用可能機能設定を行ったが、使用可能機能のみを設定するように前記画像形成装置Ｕを構成することも可能である。
（Ｈ02）前記各実施例において、ＣＰＵ内蔵装置としての画像形成装置（複写機能およびファクシミリ機能等を有する複合機）Ｕに本発明を適用したがこれに限定されず、前記ＣＰＵ内蔵装置としての複写機、ファクシミリ装置、パソコン、計算機、データベースサーバ等に本発明を適用することも可能である。
（Ｈ03）前記各実施例において、画像形成装置Ｕの認証状態自動解除条件は、使用可能設定回数、使用可能設定時間、および認証状態解除用マシン状態設定（省エネモードが解除された時）に限定されず、用紙枚数等の種々の条件を設定することも可能である。
【図面の簡単な説明】
【０１００】
【図１】図１は実施例１のＣＰＵ内蔵装置としての画像形成装置の説明図である。
【図２】図２は実施例１の画像形成装置の機能をブロック（機能ブロック）で示したブロック線図である。
【図３】図３は実施例１のユーザインタフェースの表示器に表示される画面の説明図であり、図３Ａはパスワード入力画面の説明図、図３Ｂは認証エラー画面の説明図である。
【図４】図４は実施例１のユーザインタフェースの表示器に表示される画面の説明図であり、図４Ａは認証状態解除条件設定画面の説明図、図４Ｂは回数条件設定画面の説明図である。
【図５】図５は実施例１のユーザインタフェースの表示器に表示される画面の説明図であり、図５Ａは時間条件設定画面の説明図、図５Ｂは認証状態解除操作設定画面の説明図である。
【図６】図６は実施例１のユーザインタフェースの表示器に表示される画面の説明図であり、図６Ａは認証解除用マシン状態設定画面の説明図、図６Ｂは認証状態解除条件一覧画面の説明図、図６Ｃはメニュー画面の説明図である。
【図７】図７は実施例１の画像形成装置のメインフローチャートである。
【図８】図８は認証処理のフローチャートであり、前記図７のＳＴ１のサブルーチンである。
【図９】図９は認証状態解除条件設定処理のフローチャートであり、前記図７のＳＴ２のサブルーチンである。
【図１０】図１０は回数条件設定処理のフローチャートであり、前記図９のＳＴ４４のサブルーチンである。
【図１１】図１１は時間条件設定処理のフローチャートであり、前記図９のＳＴ４６のサブルーチンである。
【図１２】図１２は認証状態解除操作設定処理のフローチャートであり、前記図９のＳＴ４８のサブルーチンである。
【図１３】図１３は認証状態解除用マシン状態設定処理のフローチャートであり、前記図９のＳＴ５０のサブルーチンである。
【図１４】図１４は機能選択時の処理のフローチャートであり、前記図７のＳＴ８，ＳＴ１０，ＳＴ１２，ＳＴ１４，ＳＴ１６のサブルーチンである。
【図１５】図１５は実施例２のＣＰＵ内蔵装置としての画像形成装置の機能をブロック（機能ブロック）で示したブロック線図である。
【図１６】図１６は実施例２のユーザインタフェースの表示器に表示される画面の説明図であり、図１６Ａは認証状態設定画面の説明図、図３Ｂは使用可能機能設定画面の説明図、図１６Ｃは機能使用不可告知画面の説明図である。
【図１７】図１７は実施例２の画像形成装置のメインフローチャートである。
【図１８】図１８は実施例２の画像形成装置のメインフローチャートのつづきのフローチャートである。
【図１９】図１９は使用可能機能設定処理のフローチャートであり、前記図１７のＳＴ２ｂのサブルーチンである。
【図２０】図２０は実施例２のＦＡＸ機能選択時の処理のフローチャートであり、前記図１８のＳＴ１０′のサブルーチンである。
【図２１】図２１は実施例２の変更例の説明図であり、実施例２の変更例のメニュー画面の説明図である。
【符号の説明】
【０１０１】
１１…パスワード入力画面、
Ｃ５ａ…パスワード入力画面表示手段、
Ｃ７…有資格ユーザ認証手段、
Ｃ７ａ…パスワード判別手段、
Ｃ７ｂ…パスワード記憶メモリ、
Ｃ８…認証状態自動解除条件設定手段（ログイン状態自動解除条件、ログアウト状態自動移行条件）、
Ｃ８ｅ…認証状態解除条件記憶手段、
Ｃ９…認証状態保持手段（ログイン状態保持手段）、
Ｃ１１…認証状態解除条件判別手段、
Ｃ１３…非認証状態保持手段、
Ｃ１５…使用可能機能設定手段、
Ｕ…ＣＰＵ内蔵装置、
ＵＩ３…表示器。
【図１】
2007172302.tif 000003
【図２】
2007172302.tif 000004
【図３】
2007172302.tif 000005
【図４】
2007172302.tif 000006
【図５】
2007172302.tif 000007
【図６】
2007172302.tif 000008
【図７】
2007172302.tif 000009
【図８】
2007172302.tif 000010
【図９】
2007172302.tif 000011
【図１０】
2007172302.tif 000012
【図１１】
2007172302.tif 000013
【図１２】
2007172302.tif 000014
【図１３】
2007172302.tif 000015
【図１４】
2007172302.tif 000016
【図１５】
2007172302.tif 000017
【図１６】
2007172302.tif 000018
【図１７】
2007172302.tif 000019
【図１８】
2007172302.tif 000020
【図１９】
2007172302.tif 000021
【図２０】
2007172302.tif 000022
【図２１】
2007172302.tif 000023